(57)【特許請求の範囲】
【請求項１】
ゲージを設け、摺動自在にゲージを支持し案内する第１案内部材を設け、用紙の端部にゲージの突端を合致させて用紙の穿孔位置を位置決めする手段を有した事務用パンチのゲージ案内装置において、ゲージ沿いに第１係止部材を配置し、第２係止部材をゲージに一体的に配置し、第１係止部材として永久磁石を設け第２係止部材として永久磁石を設け、または、第１係止部材として永久磁石を設け第２係止部材として磁性体を設け、または、第１係止部材として磁性体を設け第２係止部材として永久磁石を設け、第１係止部材と第２係止部材が係止する位置まで第１案内部材に沿ってゲージを移動すると、第１係止部材と第２係止部材が係止して、第１係止部材が第２係止部材を保持することを特徴とする事務用パンチのゲージ案内装置。
【請求項２】
前記第１案内部材に前記第１係止部材を一体的に配置し、とした請求項１に記載の事務用パンチのゲージ案内装置。
【請求項３】
前記第１係止部材を一体的に配置した第１係合部材を設け、第１係合部材と係合する第２係合部材を設け、第１係合部材を案内する第２案内部材を第１案内部材に平行に配置し、第２係合部材を第２案内部材に一体的に配置し、第１係合部材と第２係合部材が係合する位置まで第２案内部材に沿って第１係合部材を移動すると、第１係合部材と第２係合部材が係合して、第２係合部材が第１係合部材を保持し、係合している状態から第１係合部材の一端を押圧すると係合している状態から開放し、第１係止部材が前記第２係止部材を係止する前記位置を、第１係合部材と第２係合部材により設定できることを特徴とする請求項１に記載の事務用パンチのゲージ案内装置。
【発明の詳細な説明】
【技術分野】
【０００１】
本発明は、用紙の端部にゲージの突端を合致させて用紙の穿孔位置を位置決めする手段を有した事務用パンチのゲージ案内装置に関する。
【背景技術】
【０００２】
一般に、ゲージを付属品として装着している市販の事務用パンチにおいて、用紙をファイルに綴じるため、事務用パンチにて用紙に孔をあける際に、Ａ４等の用紙のサイズの位置を記した案内用のゲージを事務用パンチのベースより取り外し、あるいは、引き出し、ゲージを案内する案内部またはベース等にて設けている凹凸状の係合部、あるいは、板ばね等により位置を保持して、ゲージの上に用紙を載せて、ゲージの端部と用紙の端部を一致させて用紙の位置を決めた後、孔をあけている。あるいは、より具体的には、ベースカバーに長ビートと押え部を設け、ここに規制部と凹部を設けてなるゲージを取付、ビートに対向するように板バネを取付、板バネに設けた突起がゲージの凹部に係合してなることを特徴とするパンチ及びステープラーにおけるゲージ装置（特許文献１参照）がある。前記パンチ及びステープラーにおけるゲージ装置は、ゲージの端面には規制部と長手方向片面には凹部を設けている。ベースカバーに、ゲージを案内するビートと上下方向の抜けを防止する押え部を設けている。板バネはベースカバーに圧入され取り付けられる。板バネには円弧状の突起が設けられ、ゲージの凹部に突起が板バネの押圧により係合し、固定される。
【特許文献１】実用新案登録第２５６１９６２号
【発明の開示】
【発明が解決しようとする課題】
【０００３】
前記従来例の特許文献１または市販の前記事務用パンチにおいては、パンチのベースよりゲージを取り外し、あるいは、引き出す場合、片手にパンチを持って、あるいは、片手でパンチを動かないように抑えながら、残りの手で指にてゲージを掴んで引き出し等をおこなっている。また、ゲージをベースへ戻す場合は、同様に片手にパンチを持って、あるいは、片手でパンチを動かないように抑えながら、残りの手で指にてゲージの押し込み等をおこなっている。ゲージの位置を保持する関係から、ゲージと接する全面にて、案内部またはベース等に係合部が設けられているため、ゲージの引き出しおよび収納時においても、ゲージと係合部が摺動する場合に摩擦抵抗等が発生し、ゲージの引き出しおよび収納時にて手に負担がかかるという問題がある。また、事務用パンチに装着してあるゲージを取り外すタイプの場合にも、ゲージの取り外しおよび収納時にて同様に手に負担がかかるという問題がある。また、さらに、それらのため、時間を要するという問題がある。本発明は、前記問題を解消し、ゲージの引き出しおよび収納時にて摩擦抵抗等による手に対する負担の度合を少なくして、その際に要する時間を短縮することができる事務用パンチのゲージ案内装置を提供することを目的とする。
【０００４】
さらに、ゲージの引き出し、取り外しおよび収納時にて両手を使用しなければならないという問題がある。本発明は、前記問題を解消し、ゲージの引き出しまたは収納時にて片手でもできる事務用パンチのゲージ案内装置を提供することを目的とする。
【課題を解決するための手段】
【０００５】
削除。
【０００６】
削除。
【０００７】
削除。
【０００８】
削除。
【０００９】
本発明によると上記課題は、次のようにして解決される。
（１）ゲージを設け、摺動自在にゲージを支持し案内する第１案内部材を設け、用紙の端部にゲージの突端を合致させて用紙の穿孔位置を位置決めする手段を有した事務用パンチのゲージ案内装置において、ゲージ沿いに第１係止部材を配置し、第２係止部材をゲージに一体的に配置し、第１係止部材として永久磁石を設け第２係止部材として永久磁石を設け、または、第１係止部材として永久磁石を設け第２係止部材として磁性体を設け、または、第１係止部材として磁性体を設け第２係止部材として永久磁石を設け、第１係止部材と第２係止部材が係止する位置まで第１案内部材に沿ってゲージを移動すると、第１係止部材と第２係止部材が係止して、第１係止部材が第２係止部材を保持することを特徴とする事務用パンチのゲージ案内装置とする。
【００１０】
（２）上記（１）項に記載の事務用パンチのゲージ案内装置において、前記第１案内部材に前記第１係止部材を一体的に配置し、とした事務用パンチのゲージ案内装置とする。
【００１１】
（３）上記（１）に記載の事務用パンチのゲージ案内装置において、前記第１係止部材を一体的に配置した第１係合部材を設け、第１係合部材と係合する第２係合部材を設け、第１係合部材を案内する第２案内部材を第１案内部材に平行に配置し、第２係合部材を第２案内部材に一体的に配置し、第１係合部材と第２係合部材が係合する位置まで第２案内部材に沿って第１係合部材を移動すると、第１係合部材と第２係合部材が係合して、第２係合部材が第１係合部材を保持し、係合している状態から第１係合部材の一端を押圧すると係合している状態から開放し、第１係止部材が前記第２係止部材を係止する前記位置を、第１係合部材と第２係合部材により設定できることを特徴とする事務用パンチのゲージ案内装置とする。
【発明の効果】
【００１２】
削除。
【００１３】
削除。
【００１４】
本発明によれば、次のような効果を奏する。ゲージの引き出しおよび収納時にて摩擦抵抗等による手に対する負担の度合を少なくすることができる。また、ゲージの引き出しおよび収納が片手でも容易にできる。また、磁性体または永久磁石の使用により機械的損失等が少なく長期使用しても安定した効果を半永久的に持続することが可能である。
【００１５】
ゲージの引き出しまたは収納に要する時間を短縮することができる。
【００１６】
上記の一連の効果を有するのにもかかわらず、あらかじめ選定した用紙のサイズに対応して、用紙にあける孔の位置を任意に変更することが可能である。さらに、上記の一連の効果を有するのにもかかわらず、加工が比較的容易で、使用する材料も少なくて済むので低コストで製造できる。
【発明を実施するための最良の形態】
【００１７】
以下に、添付図面に基づいて本発明の実施の形態について詳細に説明するが、本発明の範囲は、以下に説明される実施の形態に限定されるものではない。最初に図についての説明を一部記載する。各々の実施例である、事務用パンチのゲージ案内装置について、図１、５、７、１８、２１、２６、３０、３３、３８、３９、４０、４３、４８、５１、５２、５８、６１、６３、６５において、第１係止部材と第２係止部材が係止している状態を描いてあり、図２、６、８、１７、２２、２５、２９、３４、３７、４１、４２、４６、４７、５３、５６、５７、６２、６４、６６において、第１係止部材と第２係止部材が係止している状態から開放した状態を描いてある。なお、図３５、３６においては、第１係止部材と第２係止部材が係止している状態および係止している状態から開放した状態の両方となっている。また、図４１、４２、４６、４７、５１、５２、５６、５７において、第１係合部材と第２係合部材が係合する位置が各々２箇所ずつあるため、各々の箇所についての係合している状態を描いてある。また、図４の事務用パンチの透視斜視図については、図１のゲージ案内装置を図中に描いてある。同様に、図２０は図１７、図２４は図２１、図２８は図２５、図３１は図２９、図４４は図４２、図４９は図４７、図５４は図５２、図５９は図５７を図中に描いてある。なお、図６５、６６において、各々の図にて、図中の左側には、バネ（２６ｕ）を設けている状態、図中の右側には、バネ（２６ｕ）を設けていない状態を描いてある。また、図２１〜２４において、バネ（２６）を見えやすくするため、箱（６６）の側面等を一部省略して描いてある。また、図９〜１２において、図中の左側には、第１係止部材と第２係止部材の拡大正面透視図、図中の右側には、図中の左側のＡとＡａ線にて方向Ｃより見た場合の拡大側面透視図を描いてある。
【００１８】
次に、本発明の一実施形態である、実施例１である、事務用パンチ（１ｄ）のゲージ案内装置（２ｄ）について記す。図１〜４にて、ゲージ（３ｄ）を設けてある。摺動自在にゲージ（３ｄ）を支持し案内する第１案内部材（４ｄ）を設けてある。用紙の端部にゲージ（３ｄ）の突端（５ｄ）を合致させて用紙の穿孔位置を位置決めする手段を有した事務用パンチのゲージ案内装置である。ゲージ（３ｄ）沿いに第１係止部材（２０）を配置してある。第２係止部材（２１）をゲージ（３ｄ）に一体的に配置してある。揺動自在な第１係止部材（２０）と係止する第２係止部材（２１）を設けてある。第１係止部材（２０）と第２係止部材（２１）が係止する位置（２４）まで第１案内部材（４ｄ）に沿ってゲージ（３ｄ）を移動すると、第１係止部材（２０）と第２係止部材（２１）が係止して、第１係止部材（２０）が第２係止部材（２１）を保持する。係止している状態から第１係止部材（２０）の一端（２８）を押圧すると係止している状態から開放する。また、次のようにしてある。揺動自在な第１係止部材（２０）において、可撓性を有してある。樹脂製としてある。可撓性を有した樹脂製とすることにより、揺動自在にしてある。樹脂が有する弾性の力を利用してある。第１案内部材（４ｄ）に第１係止部材（２０）を一体的に配置してある。揺動自在な第１係止部材（２０）の雄部（２２）と係止する雌部（２３）を有する第２係止部材（２１）を設けてある。また、各々の実施例である、事務用パンチのゲージ案内装置について、同様にしてもよい。
【００１９】
次に、本発明の他の一実施形態である、実施例２である、事務用パンチ（１ｋ）のゲージ案内装置（２ｋ）について記す。実施例２である、事務用パンチ（１ｋ）のゲージ案内装置（２ｋ）は、図７〜８にて、実施例１である、事務用パンチ（１ｄ）のゲージ案内装置（２ｄ）において、次のようにしてある。第２係止部材（２１）の雌部（２３）について記す。扁平なハウジング（４４）の側面（４０）（４１）を貫通して開口した差込用開口部（４２）を設けてある。差込用開口部（４２）の一側面（４５）を開口して操作用開口部（４６）を設けてある。操作用開口部（４６）沿いの側面（４７）（５９）に第２係止面部（４８）（５６）を設けてある。言い換えると、第２係止部材（２１）の雌部（２３）は、断面凹字状（６４）からなる、とも記すことができる。また、第２係止部材（２１）の雌部（２３）は、扁平な筒状としてもよい。次に、第１係止部材（２０）の雄部（２２）について記す。基板（４９）の一端（５０）に可撓性を備えたＵ字状の差込脚部（５１）を設けてある。Ｕ字状の差込脚部（５１）と基板（４９）には段差を設けてある。Ｕ字状の差込脚部（５１）より基板（４９）を高く設けてある。第２係止面部（４８）（５６）と対向して係止する第１係止面部（５２）を差込脚部（５１）の軸線上に設けてある。第１係止部材（２０）の一端（２８）、つまり、押圧操作用の押圧操作部（５５）を差込脚部（５１）外側に一体的に形成してある。
【００２０】
次に、図１〜１２にて、実施例２である、事務用パンチ（１ｋ）のゲージ案内装置（２ｋ）の作用について記す。収納してあるゲージ（３ｄ）を第１案内部材（４ｄ）から外方（Ｇｄ）へ移動するのについて記す。図１にて、第１係止部材（２０）と第２係止部材（２１）が係止している。つまり、図７、９にて、対向している第１係止面部（５２）と第２係止面部（４８）（５６）が係止している。第１係止部材（２０）と第２係止部材（２１）が係止して、第１係止部材（２０）が第２係止部材（２１）を保持する。第１案内部材（４ｄ）にゲージ（３ｄ）が収納している。係止している状態にて、第１係止部材（２０）の一端（２８）である押圧操作部（５５）を指等で押圧する。図９〜１０等にて、差込脚部（５１）は、係止している状態から開放し、圧縮して変形し、第２係止面部（４８）（５６）から差込用開口部（４２）へ第１係止面部（５２）が移動する。押圧操作部（５５）を指等で押圧している状態にて、ゲージ（３ｄ）の突端（５ｄ）あるいは第２係止部材（２１）を、指等により外方（Ｇｄ）へ押動する。図１１〜１２等にて、押動すると、第２係止部材（２１）は外方（Ｇｄ）へ移動するので、差込用開口部（４２）および操作用開口部（４６）は、差込脚部（５１）を通過する。これにより、図２にて、第１案内部材（４ｄ）に収納していたゲージ（３ｄ）が第１案内部材（４ｄ）から外方（Ｇｄ）へ移動する。そして、押圧操作部（５５）を押圧していた指等を離すと、圧縮して変形した状態から差込脚部（５１）は復位する。次に、第１案内部材（４ｄ）より外方（Ｇｄ）に位置しているゲージ（３ｄ）を第１案内部材（４ｄ）に収納するのについて記す。図２にて、ゲージ（３ｄ）の突端（５ｄ）を指等により内方（Ｂｄ）へ押動する。押動すると、第１案内部材（４ｄ）に沿ってゲージ（３ｄ）が内方（Ｂｄ）へ移動する。図１２等にて、差込用開口部（４２）が差込脚部（５１）を案内して、差込脚部（５１）が圧縮して変形する。図１１等にて、差込用開口部（４２）および操作用開口部（４６）は、差込脚部（５１）の上を移動する。図１１〜１０等にて、移動後、第２係止部材（２１）が基板（４９）に接触し停止する。停止とほぼ同時に、差込用開口部（４２）に案内されていた差込脚部（５１）が案内から開放し、圧縮して変形した状態から差込脚部（５１）は復位する。図９にて、復位後、第１係止面部（５２）と第２係止面部（４８）（５６）が対向して係止する。第１係止部材（２０）と第２係止部材（２１）が係止して、第１係止部材（２０）が第２係止部材（２１）を保持し、第１案内部材（４ｄ）にゲージ（３ｄ）が収納する。実施例１である、事務用パンチ（１ｄ）のゲージ案内装置（２ｄ）、および、実施例２である、事務用パンチ（１ｋ）のゲージ案内装置（２ｋ）によれば、ゲージの引き出しおよび収納時にて摩擦抵抗等による手に対する負担の度合を少なくすることができる。また、ゲージの収納が片手でもできる。さらに、上記の一連の効果を有するのにもかかわらず、加工が比較的容易で、使用する材料も少なくて済むので低コストで製造できる。
【００２１】
次に、本発明の他の一実施形態である、実施例３である、事務用パンチのゲージ案内装置について記す。特に図示しないが、実施例３である、事務用パンチのゲージ案内装置は、実施例１である、事務用パンチ（１ｄ）のゲージ案内装置（２ｄ）にて、揺動自在な第１係止部材（２０）と係止する第２係止部材（２１）を設け、に代えて、揺動自在な第２係止部材と係止する第１係止部材を設け、として、係止している状態から第１係止部材（２０）の一端（２８）を押圧すると係止している状態から開放する、に代えて、係止している状態から第２係止部材の一端を押圧すると係止している状態から開放する、としてある。つまり、次のようにしてある。ゲージを設けてある。摺動自在にゲージを支持し案内する第１案内部材を設けてある。用紙の端部にゲージの突端を合致させて用紙の穿孔位置を位置決めする手段を有した事務用パンチのゲージ案内装置である。ゲージ沿いに第１係止部材を配置してある。第２係止部材をゲージに一体的に配置してある。揺動自在な第２係止部材と係止する第１係止部材を設けてある。第１係止部材と第２係止部材が係止する位置まで第１案内部材に沿ってゲージを移動すると、第１係止部材と第２係止部材が係止して、第１係止部材が第２係止部材を保持する。係止している状態から第２係止部材の一端を押圧すると係止している状態から開放する、としてある。また、次のようにしてある。揺動自在な第２係止部材において、可撓性を有してある。樹脂製としてある。第１案内部材に第１係止部材を一体的に配置してある。また、揺動自在な第２係止部材の雄部と係止する雌部を有する第１係止部材を設けてある。
【００２２】
次に、本発明の他の一実施形態である、実施例４である、事務用パンチ（１ｎ）のゲージ案内装置（２ｎ）について記す。実施例４である、事務用パンチ（１ｎ）のゲージ案内装置（２ｎ）は、図１３〜１６で、実施例３である、事務用パンチのゲージ案内装置において、次のようにしてある。第１係止部材（２０ｎ）の雌部（２３ｎ）について記す。扁平なハウジング（４４ｎ）の側面（４０ｎ）を開口した差込用開口部（４２ｎ）を設けてある。差込用開口部（４２ｎ）に隣接する側面（４７ｎ）の内側に第１係止面部（５２ｎ）を設けてある。第１係止面部（５２ｎ）の下側を開口して操作用開口部（４６ｎ）を設けてある。操作用開口部（４６ｎ）から突出する押圧部（３９ｎ）を操作する押圧操作用の押圧操作部（５５ｎ）を一体的に形成してある。押圧操作部（５５ｎ）は可撓性を有する。次に、第２係止部材（２１ｎ）の雄部（２２ｎ）について記す。基板（４９ｎ）の一端（５０ｎ）に可撓性を備えたＵ字状の差込脚部（５１ｎ）を設けてある。Ｕ字状の差込脚部（５１ｎ）と基板（４９ｎ）には段差を設けてある。Ｕ字状の差込脚部（５１ｎ）より基板（４９ｎ）を高く設けてある。第１係止面部（５２ｎ）と対向して係止する第２係止面部（４８ｎ）を差込脚部（５１ｎ）の軸線上に設けてある。操作用開口部（４６ｎ）から突出する押圧部（３９ｎ）を差込脚部（５１ｎ）外側に一体的に形成してある。
【００２３】
次に、実施例４である、事務用パンチ（１ｎ）のゲージ案内装置（２ｎ）の作用について記す。収納してあるゲージを第１案内部材から外方へ移動するのについて記す。第１係止部材（２０ｎ）と第２係止部材（２１ｎ）が係止している。つまり、図１３等にて、第１係止面部（５２ｎ）と第２係止面部（４８ｎ）が係止している。第１係止部材（２０ｎ）と第２係止部材（２１ｎ）が係止して、第１係止部材（２０ｎ）が第２係止部材（２１ｎ）を保持する。第１案内部材にゲージが収納している。図１４等にて、係止している状態にて、第２係止部材（２１ｎ）の一端（７８）である押圧部（３９ｎ）を押圧する。つまり、第１係止部材（２０ｎ）の一端（２８ｎ）である押圧操作部（５５ｎ）を指等で押圧する。第１係止面部（５２ｎ）から差込用開口部（４２ｎ）へ第２係止面部（４８ｎ）が移動し、差込脚部（５１ｎ）は、圧縮して変形し、係止している状態から開放する。押圧操作部（５５ｎ）を指等で押圧している状態にて、ゲージの突端あるいは第２係止部材（２１ｎ）を、指等により外方（Ｇｎ）へ押動する。図１５等にて、押動すると、第２係止部材（２１ｎ）は外方（Ｇｎ）へ移動するので、差込用開口部（４２ｎ）を通過して差込脚部（５１ｎ）は外へ抜ける。これにより、第１案内部材に収納していたゲージが第１案内部材から外方（Ｇｎ）へ移動する。そして、押圧操作部（５５ｎ）を押圧していた指等を離すと、圧縮して変形した状態から差込脚部（５１ｎ）は復位する。次に、第１案内部材より外方（Ｇｎ）に位置しているゲージを第１案内部材に収納するのについて記す。図１５等にて、ゲージの突端を指等により内方（Ｂｎ）へ押動する。押動すると、第１案内部材に沿ってゲージが内方（Ｂｎ）へ移動する。差込用開口部（４２ｎ）が差込脚部（５１ｎ）を案内して、差込脚部（５１ｎ）が圧縮して変形する。差込脚部（５１ｎ）はハウジング（４４ｎ）内部に挿入する。図１４等にて、挿入後、ハウジング（４４ｎ）に基板（４９ｎ）が接触し停止する。図１３等にて、停止とほぼ同時に、差込用開口部（４２ｎ）に案内されていた差込脚部（５１ｎ）が案内から開放し、圧縮して変形した状態から差込脚部（５１ｎ）は復位する。復位後、第１係止面部（５２ｎ）と第２係止面部（４８ｎ）が対向して係止する。第１係止部材（２０ｎ）と第２係止部材（２１ｎ）が係止して、第１係止部材（２０ｎ）が第２係止部材（２１ｎ）を保持し、第１案内部材にゲージが収納する。実施例３である、事務用パンチのゲージ案内装置、および、実施例４である、事務用パンチ（１ｎ）のゲージ案内装置（２ｎ）によれば、ゲージの引き出しおよび収納時にて摩擦抵抗等による手に対する負担の度合を少なくすることができる。また、ゲージの収納が片手でもできる。さらに、上記の一連の効果を有するのにもかかわらず、加工が比較的容易で、使用する材料も少なくて済むので低コストで製造できる。
【００２４】
補足として以下に記載する。実施例２である、事務用パンチ（１ｋ）のゲージ案内装置（２ｋ）と、実施例４である、事務用パンチ（１ｎ）のゲージ案内装置（２ｎ）についてまとめて記すと次のようになる。雌部について記す。扁平な直方体の側面を開口した差込用開口部を設けてある。差込用開口部一側面を開口して操作用開口部を設け、操作用開口部沿いの側面に第２係止面部を設け、あるいは、差込用開口部の側面の内側に第１係止面部を設け、差込用開口部寄りに第１係止面部を設け、上部に設けた第１係止面部の下側に開口して操作用開口部を設け、操作用開口部から表出する押圧部を操作する押圧操作用の押圧操作部を一体的に形成してある。次に、雄部について記す。基板の一端に可撓性を備えたＵ字状の差込脚部を設け、Ｕ字状の差込脚部と基板には段差を設け、Ｕ字状の差込脚部より基板を高く設けてある。第２係止面部と対向して係止する第１係止面部を差込脚部の軸線上に設け、第１係止部材の一端、つまり、押圧操作用の押圧操作部を差込脚部外側に一体的に形成し、あるいは、第１係止面部と対向して係止する第２係止面部を差込脚部の軸線上に設け、操作用開口部から表出する押圧部を差込脚部外側に一体的に形成してある。
【００２５】
次に、本発明の他の一実施形態である、実施例５である、事務用パンチ（１ｚ）のゲージ案内装置（２ｚ）について記す。実施例５である、事務用パンチ（１ｚ）のゲージ案内装置（２ｚ）は、図１７〜２０にて、実施例２である、事務用パンチ（１ｋ）のゲージ案内装置（２ｋ）と同様に、次のようにしてある。ゲージ（３ｚ）を設けてある。摺動自在にゲージ（３ｚ）を支持し案内する第１案内部材（４ｚ）を設けてある。用紙の端部にゲージ（３ｚ）の突端（５ｚ）を合致させて用紙の穿孔位置を位置決めする手段を有した事務用パンチのゲージ案内装置である。ゲージ（３ｚ）沿いに第１係止部材（２０ｚ）を配置してある。第２係止部材（２１ｚ）をゲージ（３ｚ）に一体的に配置してある。揺動自在な第１係止部材（２０ｚ）と係止する第２係止部材（２１ｚ）を設けてある。第１係止部材（２０ｚ）と第２係止部材（２１ｚ）が係止する位置（２４ｚ）まで第１案内部材（４ｚ）に沿ってゲージ（３ｚ）を移動すると、第１係止部材（２０ｚ）と第２係止部材（２１ｚ）が係止して、第１係止部材（２０ｚ）が第２係止部材（２１ｚ）を保持する。係止している状態から第１係止部材（２０ｚ）の一端（２８ｚ）を押圧すると係止している状態から開放する。また、次のようにしてある。揺動自在な第１係止部材（２０ｚ）において、可撓性を有した樹脂製としてある。第１案内部材（４ｚ）に第１係止部材（２０ｚ）を一体的に配置してある。揺動自在な第１係止部材（２０ｚ）の雄部（２２ｚ）と係止する雌部（２３ｚ）を有する第２係止部材（２１ｚ）を設けてある。また、特に図示しないが、各々の実施例である、事務用パンチのゲージ案内装置について、同様にしてもよい。実施例５である、事務用パンチ（１ｚ）のゲージ案内装置（２ｚ）によれば、ゲージの引き出しおよび収納時にて摩擦抵抗等による手に対する負担の度合を少なくすることができる。また、ゲージの引き出しが片手でもできる。さらに、上記の一連の効果を有するのにもかかわらず、加工が比較的容易で、使用する材料も少なくて済むので低コストで製造できる。
【００２６】
また、実施例１である、事務用パンチ（１ｄ）のゲージ案内装置（２ｄ）について次のようにしてもよい。揺動自在な第１係止部材（２０）に押圧部（３９）を設けてある。揺動自在な第１係止部材（２０）の一端（２８）に押圧部（３９）を設けてある。係止している状態から第１係止部材（２０）の押圧部（３９）を押圧すると係止している状態から開放する。つまり、係止している状態から、第１係止部材（２０）の一端（２８）に設けた押圧部（３９）を押圧すると係止している状態から開放する。また、特に図示しないが、各々の実施例である、事務用パンチのゲージ案内装置について、同様にしてもよい。
【００２７】
次に、本発明の他の一実施形態である、実施例６である、事務用パンチ（１ｊ）のゲージ案内装置（２ｊ）について記す。実施例６である、事務用パンチ（１ｊ）のゲージ案内装置（２ｊ）は、図２１〜２４にて、実施例２である、事務用パンチ（１ｋ）のゲージ案内装置（２ｋ）において、次のようにしてある。前記第１案内部材（４ｊ）から前記ゲージ（３ｊ）を外方へ押動する方向（矢印Ｇｊ）に付勢する第２コイルバネ（２６）を配置してある。つまり、前記第１案内部材（４ｊ）に沿って前記ゲージ（３ｊ）を押動する第２コイルバネ（２６）を配置してある。前記第１係止部材（２０ｊ）と前記第２係止部材（２１ｊ）が係止する前記位置（２４ｊ）まで第１案内部材（４ｊ）に沿ってゲージ（３ｊ）を移動すると、第１係止部材（２０ｊ）と第２係止部材（２１ｊ）が係止して、第１係止部材（２０ｊ）が第２係止部材（２１ｊ）を保持する。第１案内部材（４ｊ）にゲージ（３ｊ）が収納する。係止している状態から第１係止部材（２０ｊ）の一端（２８ｊ）を押圧すると係止している状態から開放し、付勢する第２コイルバネ（２６）により第１案内部材（４ｊ）からゲージ（３ｊ）が外方（矢印Ｇｊ）へ押動する。つまり、係止している状態から、揺動自在な第１係止部材（２０ｊ）の一端（２８ｊ）を押圧すると係止している状態から開放し、第１案内部材（４ｊ）に沿って第２コイルバネ（２６）によりゲージ（３ｊ）が押動する。なお、第２コイルバネ（２６）を配置するのについて、第１案内部材（４ｊ）近傍に第２コイルバネ（２６）を配置してある。第２コイルバネ（２６）は、圧縮型のコイルバネとしてある。第２コイルバネ（２６）に連動するようにバネ受け（６５）をゲージ（３ｊ）に一体的に設けてある。第２コイルバネ（２６）用の箱（６６）を設けてある。また、特に図示しないが、各々の実施例である、事務用パンチのゲージ案内装置について、同様にしてもよい。
【００２８】
次に、実施例６である、事務用パンチ（１ｊ）のゲージ案内装置（２ｊ）の作用について説明する。収納してあるゲージ（３ｊ）を第１案内部材（４ｊ）から外方（Ｇｊ）へ移動するのについて記す。図２１にて、第１係止部材（２０ｊ）と第２係止部材（２１ｊ）が係止している。つまり、図９等にて、対向している第１係止面部（５２）と第２係止面部（４８）（５６）が係止している。第１係止部材（２０ｊ）と第２係止部材（２１ｊ）が係止して、第１係止部材（２０ｊ）が第２係止部材（２１ｊ）を保持する。第１案内部材（４ｊ）にゲージ（３ｊ）が収納している。係止している状態にて、第１係止部材（２０ｊ）の一端（２８ｊ）である押圧操作部（５５）を指等で押圧する。図１０〜１２等にて、第２係止面部（４８）から差込用開口部（４２）へ第１係止面部（５２）が移動し、差込脚部（５１）は、圧縮して変形し、係止している状態から開放する。と同時に、付勢する第２コイルバネ（２６）により外方（Ｇｊ）へ押動するゲージ（３ｊ）に伴って第２係止部材（２１ｊ）が外方（Ｇｊ）へ移動する。引き続き、第２係止部材（２１ｊ）は外方（Ｇｊ）へ移動するので、差込用開口部（４２）および操作用開口部（４６）は、差込脚部（５１）を通過する。これにより、図２２にて、第１案内部材（４ｊ）に収納してあるゲージ（３ｊ）は第１案内部材（４ｊ）から外方（Ｇｊ）へ移動する。つまり、ゲージ（３ｊ）の一部を第１案内部材（４ｊ）に残して、第１案内部材（４ｊ）より外方（Ｇｊ）にゲージ（３ｊ）は位置する。そして、押圧操作部（５５）を押圧していた指等を離すと、圧縮して変形した状態から差込脚部（５１）は復位する。次に、第１案内部材（４ｊ）より外方（Ｇｊ）に位置しているゲージ（３ｊ）を第１案内部材（４ｊ）に収納するのについて記す。図２２にて、付勢する第２コイルバネ（２６）に逆らう方向に、ゲージ（３ｊ）の突端（５ｊ）を指等により内方（Ｂｊ）へ押動する。押動すると、第１案内部材（４ｊ）に沿ってゲージ（３ｊ）が内方（Ｂｊ）へ移動する。図１２等にて、差込用開口部（４２）が差込脚部（５１）を案内して、差込脚部（５１）が圧縮して変形する。図１１等にて、差込用開口部（４２）および操作用開口部（４６）は、差込脚部（５１）の上を移動する。図１１〜１０等にて、移動後、第２係止部材（２１ｊ）が基板（４９）に接触し停止する。停止とほぼ同時に、差込用開口部（４２）に案内されていた差込脚部（５１）が案内から開放し、圧縮して変形した状態から差込脚部（５１）は復位する。図９等にて、復位後、第１係止面部（５２）と第２係止面部（４８）（５６）が対向して係止する。第１係止部材（２０ｊ）と第２係止部材（２１ｊ）が係止して、第１係止部材（２０ｊ）が第２係止部材（２１ｊ）を保持し、第１案内部材（４ｊ）にゲージ（３ｊ）が収納する。実施例６である、事務用パンチ（１ｊ）のゲージ案内装置（２ｊ）によれば、ゲージの引き出時にて摩擦抵抗等による手に対する負担の度合を少なくすることができる。また、ゲージの引き出しに要する時間を短縮することができる。あるいは、ゲージの引き出しが片手でも容易にできる。さらに、上記の一連の効果を有するのにもかかわらず、加工が比較的容易で、使用する材料も少なくて済むので低コストで製造できる。
【００２９】
次に、本発明の他の一実施形態である、実施例７である、事務用パンチ（１ａａ）のゲージ案内装置（２ａａ）について記す。実施例７である、事務用パンチ（１ａａ）のゲージ案内装置（２ａａ）は、図２５〜２８にて、実施例５である、事務用パンチ（１ｚ）のゲージ案内装置（２ｚ）において、次のようにしてある。前記第１案内部材（４ａａ）から前記ゲージ（３ａａ）を内方へ押動する方向（矢印Ｂａａ）に付勢する第２コイルバネ（２６ａａ）を配置してある。つまり、前記第１案内部材（４ａａ）に沿って前記ゲージ（３ａａ）を押動する第２コイルバネ（２６ａａ）を配置してある。前記第１係止部材（２０ａａ）と前記第２係止部材（２１ａａ）が係止する前記位置（２４ａａ）まで第１案内部材（４ａａ）に沿ってゲージ（３ａａ）を移動すると、第１係止部材（２０ａａ）と第２係止部材（２１ａａ）が係止して、第１係止部材（２０ａａ）が第２係止部材（２１ａａ）を保持する。第１案内部材（４ａａ）にゲージ（３ａａ）が収納する。係止している状態から第１係止部材（２０ａａ）の一端（２８ａａ）を押圧すると係止している状態から開放し、付勢する第２コイルバネ（２６ａａ）により第１案内部材（４ａａ）からゲージ（３ａａ）が内方（矢印Ｂａａ）へ押動する。つまり、係止している状態から、揺動自在な第１係止部材（２０ａａ）の一端（２８ａａ）を押圧すると係止している状態から開放し、第１案内部材（４ａａ）に沿って第２コイルバネ（２６ａａ）によりゲージ（３ａａ）が押動する。なお、第２コイルバネ（２６ａａ）を配置するのについて、第１案内部材（４ａａ）近傍に第２コイルバネ（２６ａａ）を配置してある。第２コイルバネ（２６ａａ）は、圧縮型のコイルバネとしてある。第２コイルバネ（２６ａａ）に連動するようにバネ受け（６５ａａ）をゲージ（３ａａ）に一体的に設けてある。第２コイルバネ（２６ａａ）用の箱（６６ａａ）を設けてある。また、特に図示しないが、各々の実施例である、事務用パンチのゲージ案内装置について、同様にしてもよい。実施例７である、事務用パンチ（１ａａ）のゲージ案内装置（２ａａ）によれば、ゲージの収納時にて摩擦抵抗等による手に対する負担の度合を少なくすることができる。また、ゲージの収納に要する時間を短縮することができる。あるいは、ゲージの収納が片手でも容易にできる。さらに、上記の一連の効果を有するのにもかかわらず、加工が比較的容易で、使用する材料も少なくて済むので低コストで製造できる。
【００３０】
次に、特に図示しないが、次のようにしてもよい。実施例４である、事務用パンチ（１ｎ）のゲージ案内装置（２ｎ）において、次のようにしてもよい。前記第１案内部材から前記ゲージを外方へ押動する方向に付勢する第２コイルバネを配置してある。つまり、前記第１案内部材に沿って前記ゲージを押動する第２コイルバネを配置してある。前記第１係止部材と前記第２係止部材が係止する前記位置まで第１案内部材に沿ってゲージを移動すると、第１係止部材と第２係止部材が係止して、第１係止部材が第２係止部材を保持する。第１案内部材にゲージが収納する。係止している状態から第２係止部材の一端を押圧すると係止している状態から開放し、付勢する第２コイルバネにより第１案内部材からゲージが外方へ押動する。つまり、係止している状態から、揺動自在な第２係止部材の一端を押圧すると係止している状態から開放し、第１案内部材に沿って第２コイルバネによりゲージが押動する。なお、第２コイルバネを配置するのについて、第１案内部材近傍に第２コイルバネを配置してある。第２コイルバネは、圧縮型のコイルバネとしてある。第２コイルバネに連動するようにバネ受けをゲージに一体的に設けてある。第２コイルバネ用の箱を設けてある。また、特に図示しないが、各々の実施例である、事務用パンチのゲージ案内装置について、同様にしてもよい。
【００３１】
次に、本発明の一実施形態である、実施例８である、事務用パンチ（１）のゲージ案内装置（２）について記す。図２９〜３２、３９にて、ゲージ（３）を設けてある。摺動自在にゲージ（３）を支持し案内する第１案内部材（４）を設けてある。用紙の端部にゲージ（３）の突端（５）を合致させて用紙の穿孔位置を位置決めする手段を有した事務用パンチのゲージ案内装置である。ゲージ（３）沿いに第１係止部材（７）を配置してある。第２係止部材（８）をゲージ（３）に一体的に配置してある。第１係止部材（７）として永久磁石（９）を設け第２係止部材（８）として永久磁石（１０）を設けてある。第１係止部材（７）と第２係止部材（８）が係止する位置（１３）まで第１案内部材（４）に沿ってゲージ（３）を移動すると、第１係止部材（７）と第２係止部材（８）が係止して、第１係止部材（７）が第２係止部材（８）を保持する。なお、第１案内部材（４）は、断面ロ字状の長尺部材にスリットを設けたレール状としてある。第１案内部材（４）に第１係止部材（７）を一体的に配置してある位置は、第１案内部材（４）の中央部と端部の中間程度としてある。また、第２係止部材（８）をゲージ（３）に一体的に配置してある位置は、ゲージ（３）の端部（３２）としてある。また、第１案内部材（４）に第１係止部材（７）を一体的に配置してある。
【００３２】
次に、実施例８である、事務用パンチ（１）のゲージ案内装置（２）の作用について説明する。図２９にて、第１案内部材（４）に収納してあるゲージ（３）を第１案内部材（４）から外方（矢印Ｇ）へ押動する。押動する場合、ゲージ（３）の突端（５）、あるいは、第２係止部材（８）を指等により押動する。押動すると、図３０にて、第１係止部材（７）と第２係止部材（８）が係止する位置（１３）まで第１案内部材（４）に沿ってゲージ（３）が移動する。図３９にて、第１係止部材（７）である永久磁石（９）と第２係止部材（８）である永久磁石（１０）の間で作用する磁力により、第１係止部材（７）と第２係止部材（８）が係止して、第１係止部材（７）が第２係止部材（８）を保持する。つまり、ゲージ（３）の一部を第１案内部材（４）に残して、第１案内部材（４）より外方（矢印Ｇ）にゲージ（３）は位置する。次に、図３０にて、第１案内部材（４）より外方（矢印Ｇ）に位置しているゲージ（３）を外方（矢印Ｇ）から第１案内部材（４）側（矢印Ｂ）へ押動すると、係止している状態から開放し、図２９にて、第１案内部材（４）にゲージ（３）が収納する。実施例８である、事務用パンチ（１）のゲージ案内装置（２）によれば、ゲージの引き出しおよび収納時にて摩擦抵抗等による手に対する負担の度合を少なくすることができる。また、ゲージの引き出しおよび収納が片手でも容易にできる。また、永久磁石の使用により機械的損失等が少なく長期使用しても安定した効果を半永久的に持続することが可能である。さらに、上記の一連の効果を有するのにもかかわらず、加工が比較的容易で、使用する材料も少なくて済むので低コストで製造できる。
【００３３】
次に、本発明の他の一実施形態である、実施例９である、事務用パンチ（１ａ）のゲージ案内装置（２ａ）について記す。実施例９である、事務用パンチ（１ａ）のゲージ案内装置（２ａ）は、図２９〜３２、３９で、実施例８である、事務用パンチ（１）のゲージ案内装置（２）にて、第１係止部材（７）として永久磁石（９）を設け第２係止部材（８）として永久磁石（１０）を設け、に代えて、第１係止部材（７）として永久磁石（９）を設け第２係止部材（８）として磁性体（１１）を設け、としてある。実施例９である、事務用パンチ（１ａ）のゲージ案内装置（２ａ）によれば、ゲージの引き出しおよび収納時にて摩擦抵抗等による手に対する負担の度合を少なくすることができる。また、ゲージの引き出しおよび収納が片手でも容易にできる。また、磁性体または永久磁石の使用により機械的損失等が少なく長期使用しても安定した効果を半永久的に持続することが可能である。さらに、上記の一連の効果を有するのにもかかわらず、加工が比較的容易で、使用する材料も少なくて済むので低コストで製造できる。
【００３４】
次に、本発明の他の一実施形態である、実施例１０である、事務用パンチ（１ｂ）のゲージ案内装置（２ｂ）について記す。実施例１０である、事務用パンチ（１ｂ）のゲージ案内装置（２ｂ）は、図２９〜３２、３９で、実施例８である、事務用パンチ（１）のゲージ案内装置（２）にて、第１係止部材（７）として永久磁石（９）を設け第２係止部材（８）として永久磁石（１０）を設け、に代えて、第１係止部材（７）として磁性体（１２）を設け第２係止部材（８）として永久磁石（１０）を設け、としてある。実施例１０である、事務用パンチ（１ｂ）のゲージ案内装置（２ｂ）によれば、ゲージの引き出しおよび収納時にて摩擦抵抗等による手に対する負担の度合を少なくすることができる。また、ゲージの引き出しおよび収納が片手でも容易にできる。また、磁性体または永久磁石の使用により機械的損失等が少なく長期使用しても安定した効果を半永久的に持続することが可能である。さらに、上記の一連の効果を有するのにもかかわらず、加工が比較的容易で、使用する材料も少なくて済むので低コストで製造できる。
【００３５】
次に、本発明の他の一実施形態である、実施例１１である、事務用パンチ（１ｅ）のゲージ案内装置（２ｅ）について説明する。実施例１１である、事務用パンチ（１ｅ）のゲージ案内装置（２ｅ）は、図３３〜３４で、実施例８である、事務用パンチ（１）のゲージ案内装置（２）にて、ゲージ（３）沿いに第１係止部材（７）を配置してある位置、第２係止部材（８）をゲージ（３）に一体的に配置してある位置を各々変更してある。ゲージ（３ｅ）沿いに第１係止部材（７ｅ）を配置してある位置は、第１案内部材（４ｅ）の端部（３３）としてある。また、第２係止部材（８ｅ）をゲージ（３ｅ）に一体的に配置してある位置は、ゲージ（３ｅ）の端部としてある。また、第１案内部材（４ｅ）に第１係止部材（７ｅ）を一体的に配置してある。次に、作用について説明する。実施例１１である、事務用パンチ（１ｅ）のゲージ案内装置（２ｅ）において、図３３にて、第１案内部材（４ｅ）に収納してあるゲージ（３ｅ）を第１案内部材（４ｅ）から外方（矢印Ｇｅ）へ押動する。図３４にて、押動すると、第１係止部材（７ｅ）と第２係止部材（８ｅ）が係止している状態から開放し、第１案内部材（４ｅ）に沿ってゲージ（３ｅ）が移動する。つまり、ゲージ（３ｅ）の一部を第１案内部材（４ｅ）に残して、第１案内部材（４ｅ）より外方（矢印Ｇｅ）にゲージ（３ｅ）は位置する。図３４にて、次に、第１案内部材（４ｅ）より外方（矢印Ｇｅ）に位置しているゲージ（３ｅ）を外方（矢印Ｇｅ）から第１案内部材（４ｅ）側（矢印Ｂｅ）へ押動する。図３３にて、押動すると、第１係止部材（７ｅ）と第２係止部材（８ｅ）が係止する位置（１３ｅ）まで第１案内部材（４ｅ）に沿ってゲージ（３ｅ）が移動する。第１係止部材（７ｅ）である永久磁石（９ｅ）と第２係止部材（８ｅ）である永久磁石（１０ｅ）の間で作用する磁力により、第１係止部材（７ｅ）と第２係止部材（８ｅ）が係止して、第１係止部材（７ｅ）が第２係止部材（８ｅ）を保持する。第１案内部材（４ｅ）にゲージ（３ｅ）が収納する。また、特に図示しないが、実施例９〜１０である、事務用パンチのゲージ案内装置について、同様にしてもよい。各々の実施例である、事務用パンチのゲージ案内装置について、同様にしてもよい。
【００３６】
次に、本発明の他の一実施形態である、実施例１２である、事務用パンチ（１ｈ）のゲージ案内装置（２ｈ）について説明する。実施例１２である、事務用パンチ（１ｈ）のゲージ案内装置（２ｈ）は、図３５〜３６で、実施例８である、事務用パンチ（１）のゲージ案内装置（２）にて、ゲージ（３）沿いに第１係止部材を配置するのにおいて、ゲージ（３ｈ）沿いに第１係止部材（７ｈ）を配置する、のに加えて、さらに、ゲージ（３ｈ）沿いに第１係止部材（７ｈａ）を配置してある。ゲージ（３ｈ）沿いに第１係止部材を複数（７ｈ）（７ｈａ）配置してある。つまり、実施例８である、事務用パンチ（１）のゲージ案内装置（２）の第１係止部材と、実施例１１である、事務用パンチ（１ｅ）のゲージ案内装置（２ｅ）の第１係止部材とを、ゲージ（３ｈ）沿いに配置してある。また、第１案内部材（４ｈ）に第１係止部材（７ｈ）を一体的に配置してある。第１案内部材（４ｈ）に第１係止部材（７ｈａ）を一体的に配置してある。つまり、第１案内部材（４ｈ）に、第１係止部材（７ｈ）と第１係止部材（７ｈａ）を一体的に配置してある。また、特に図示しないが、実施例９〜１０である、事務用パンチのゲージ案内装置について、同様にしてもよい。各々の実施例である、事務用パンチのゲージ案内装置について、同様にしてもよい。
【００３７】
次に、本発明の他の一実施形態である、実施例１３である、事務用パンチ（１ｆ）のゲージ案内装置（２ｆ）について記す。実施例１３である、事務用パンチ（１ｆ）のゲージ案内装置（２ｆ）は、図３７、３８、４０で、実施例８である、事務用パンチ（１）のゲージ案内装置（２）にて、ゲージ（３）沿いに第１係止部材（７）を配置し、において、ゲージ（３ｆ）沿いに支持部（３０）を配置する、第１係止部材（７ｆ）を支持部（３０）に一体的に配置する、つまり、支持部（３０）を介して、ゲージ（３ｆ）沿いに第１係止部材（７ｆ）を配置する。同様に、第２係止部材（８ｆ）をゲージ（３ｆ）に一体的に配置し、において、第２係止部材（８ｆ）を支持部（３５）に一体的に配置する、ゲージ（３ｆ）に支持部（３５）を一体的に配置する、つまり、支持部（３５）を介して、第２係止部材（８ｆ）をゲージ（３ｆ）に一体的に配置する。また、第１案内部材（４ｆ）に、支持部（３０）を介して、第１係止部材（７ｆ）を一体的に配置してある。また、特に図示しないが、各々の実施例である、事務用パンチのゲージ案内装置について、同様にしてもよい。
【００３８】
また、特に図示しないが、本発明の一実施形態である、実施例８である、事務用パンチ（１）のゲージ案内装置（２）にて、第１案内部材（４）に第１係止部材（７）を一体的に配置するのについて、次のようにしてもよい。第１案内部材（４）にベースを一体的に配置する。第１係止部材（７）を該ベースに一体的に配置する。つまり、該ベースを介して、第１案内部材（４）に第１係止部材（７）を一体的に配置してもよい。なお、ベースとは、事務用パンチ（１）のベースのことである。ベースとは、事務用パンチ（１）の基盤のことである。ベースとは、事務用パンチ（１）の台座のことである。また、特に図示しないが、第１案内部材（４）に第１係止部材（７）を一体的に配置するのについて、次のようにしてもよい。ベースの下面に装着した抜きカスを受ける底面カバーを第１案内部材（４）に一体的に配置する。第１係止部材（７）を該底面カバーに一体的に配置する。つまり、該底面カバーを介して、第１案内部材（４）に第１係止部材（７）を一体的に配置してもよい。また、特に図示しないが、実施例９〜１３である、事務用パンチのゲージ案内装置について、同様にしてもよい。各々の実施例である、事務用パンチのゲージ案内装置について、同様にしてもよい。
【００３９】
また、特に図示しないが次のようにしてもよい。実施例１１である、事務用パンチ（１ｅ）のゲージ案内装置（２ｅ）について、第１案内部材（４ｅ）を傾斜して設けてもよい。端部（３３）側の高さを高くして、外方（矢印Ｇｅ）側を低くなるよう傾斜する。第１案内部材（４ｅ）に収納してあるゲージ（３ｅ）を第１案内部材（４ｅ）から外方（矢印Ｇｅ）へ押動する際に、ゲージ（３ｅ）または第２係止部材（８ｅ）を指等で押動すると、第１係止部材（７ｅ）と第２係止部材（８ｅ）が係止している状態から開放する。その後、ゲージ（３ｅ）または第２係止部材（８ｅ）から指等を離しても、傾斜して設けた第１案内部材（４ｅ）により、第１案内部材（４ｅ）に沿って、ゲージ（３ｅ）が下降して移動する。また、特に図示しないが、実施例８である、事務用パンチ（１）のゲージ案内装置（２）について、使用する場合、次のようにしてもよい。第１案内部材（４）に収納してあるゲージ（３）を第１案内部材（４）から外方（矢印Ｇ）へ押動するが、指等で押動する代わりに、ゲージ案内装置を手等で傾斜させる。傾斜させると、第１係止部材（７）と第２係止部材（８）が係止する位置（１３）まで第１案内部材（４）に沿ってゲージ（３）が移動する。第１係止部材（７）である永久磁石（９）と第２係止部材（８）である永久磁石（１０）の間で作用する磁力により、第１係止部材（７）と第２係止部材（８）が係止して、第１係止部材（７）が第２係止部材（８）を保持する。つまり、ゲージ（３）の一部を第１案内部材（４）に残して、第１案内部材（４）より外方（矢印Ｇ）にゲージ（３）は位置する。次に、第１案内部材（４）より外方（矢印Ｇ）に位置しているゲージ（３）を外方（矢印Ｇ）から内方（矢印Ｂ）へ指等で押動すると、係止している状態から開放する。そのあと、同様に、ゲージ案内装置を手等で傾斜させると、第１案内部材（４）にゲージ（３）が収納する。また、特に図示しないが、各々の実施例である、事務用パンチのゲージ案内装置について、同様にしてもよい。
【００４０】
次に、本発明の他の一実施形態である、実施例１４である、事務用パンチ（１ｗ）のゲージ案内装置（２ｗ）について記す。実施例１４である、事務用パンチ（１ｗ）のゲージ案内装置（２ｗ）は、図４１〜４５、７０、７１にて、実施例５である、事務用パンチ（１ｚ）のゲージ案内装置（２ｚ）において、前記第１案内部材（４ｚ）に前記第１係止部材（２０ｚ）を一体的に配置し、に代えて、第１係合部材（１６）に前記第１係止部材（２０ｗ）を一体的に配置し、として、さらに次のようにしてある。第１係合部材（１６）と係合する第２係合部材（１８）（１８ｗ）を設けてある。第１係合部材（１６）を案内する第２案内部材（１５）を第１案内部材（４ｗ）に平行に配置してある。第２係合部材（１８）（１８ｗ）を第２案内部材（１５）に一体的に配置してある。第１係合部材（１６）と第２係合部材（１８）（１８ｗ）が係合する位置（１９）（１９ｗ）まで第２案内部材（１５）に沿って第１係合部材（１６）を移動すると、第１係合部材（１６）と第２係合部材（１８）（１８ｗ）が係合して、第２係合部材（１８）（１８ｗ）が第１係合部材（１６）を保持する。係合している状態から第１係合部材（１６）の一端（２７）を押圧すると係合している状態から開放する。第１係止部材（２０ｗ）が前記第２係止部材（２１ｗ）を係止する前記位置（２４ｗ）を、第１係合部材（１６）と第２係合部材（１８）（１８ｗ）により設定できる。揺動自在な第１係合部材（１６）の雄部（３６）と係合する雌部（３７）（３７ｗ）を有する第２係合部材（１８）（１８ｗ）を設けてある。また、特に図示しないが、各々の実施例である、事務用パンチのゲージ案内装置について、同様にしてもよい。また、図４５にて、第１係合部材（１６）に前記第１係止部材（２０ｗ）を一体的に配置するのについて、次のようにしてある。第１係合部材（１６）に接続部材（１４）を一体的に配置してある。接続部材（１４）に前記第１係止部材（２０ｗ）を一体的に配置してある。つまり、接続部材（１４）を通して、第１係合部材（１６）に前記第１係止部材（２０ｗ）を一体的に配置してある。第１係合部材（１６）の係合部材止め部（６８）を接続部材（１４）の係合部材止め受け（６７）に挿入し、係合してある。また、次のようにしてある。図７１にて、第１係止部材（２０ｗ）の一端（２８ｗ）を押圧する場合の押圧用の操作口（６９）（６９ｗ）を設けてある。また、次のようにしてもよい。図６９にて、係合を容易とするため、第２係合部材（１８ｗａ）（１８ｗｂ）の辺（７２）（７２ｗ）（７２ｗａ）（７２ｗｂ）を傾斜して設けてもよい。上方を広く、下方を狭くし、傾斜してある。図７２にて、第１係合部材（１６ｗａ）と第２係合部材（１８ｗｃ）（１８ｗｄ）が係合するのについて、第１係合部材（１６ｗａ）に凸部（７０）（７０ｗ）を設け、第２係合部材（１８ｗｃ）（１８ｗｄ）に凹部（７１）（７１ｗ）（７１ｗａ）（７１ｗｂ）を設けて、凸部（７０）（７０ｗ）と凹部（７１）（７１ｗ）（７１ｗａ）（７１ｗｂ）を係合してもよい。
【００４１】
次に、実施例１４である、事務用パンチ（１ｗ）のゲージ案内装置（２ｗ）の作用について説明する。図４２、４４、７０等にて、第１係合部材（１６）と第２係合部材（１８）が係合する位置（１９）で係合し、第２係合部材（１８）が第１係合部材（１６）を保持している。係合している状態から第１係合部材（１６）の一端（２７）を上の方向（矢印Ｕ）に指等で押圧する。押圧すると、係合している状態から、第１係合部材（１６）が第２係合部材（１８）から開放する。第１係合部材（１６）の一端（２７）を第２案内部材（１５）に従って指等で軽く押さえながら外方（矢印Ｇｗ）へ移動させる。図４４、７１にて、第１係合部材（１６）と第２係合部材（１８ｗ）が係合する位置（１９ｗ）まで第２案内部材（１５）に沿って第１係合部材（１６）を移動する。第２係合部材（１８ｗ）の直上にて、第１係合部材（１６）の一端（２７）を下の方向（矢印Ｄ）に指等で押圧する。押圧すると、第１係合部材（１６）と第２係合部材（１８ｗ）が係合して、第２係合部材（１８ｗ）が第１係合部材（１６）を保持する。実施例１４である、事務用パンチ（１ｗ）のゲージ案内装置（２ｗ）によれば、ゲージの引き出し時にて摩擦抵抗等による手に対する負担の度合を少なくすることができる。または、ゲージの引き出しが片手でもできる。または、上記の一連の効果を有するのにもかかわらず、あらかじめ選定した用紙のサイズに対応して、用紙にあける孔の位置を任意に変更することが可能である。さらに、上記の一連の効果を有するのにもかかわらず、加工が比較的容易で、使用する材料も少なくて済むので低コストで製造できる。
【００４２】
次に、本発明の他の一実施形態である、実施例１５である、事務用パンチ（１ｂａ）のゲージ案内装置（２ｂａ）について記す。実施例１５である、事務用パンチ（１ｂａ）のゲージ案内装置（２ｂａ）は、図４６〜５０にて、実施例１４である、事務用パンチ（１ｗ）のゲージ案内装置（２ｗ）において、次のようにしてある。前記第１案内部材（４ｂａ）から前記ゲージ（３ｂａ）を内方へ押動する方向（矢印Ｂｂａ）に付勢する第２コイルバネ（２６ｂａ）を配置してある。つまり、前記第１案内部材（４ｂａ）に沿って前記ゲージ（３ｂａ）を押動する第２コイルバネ（２６ｂａ）を配置してある。前記第１係止部材（２０ｂａ）と前記第２係止部材（２１ｂａ）が係止する前記位置（２４ｂａ）まで第１案内部材（４ｂａ）に沿ってゲージ（３ｂａ）を移動すると、第１係止部材（２０ｂａ）と第２係止部材（２１ｂａ）が係止して、第１係止部材（２０ｂａ）が第２係止部材（２１ｂａ）を保持する。第１案内部材（４ｂａ）にゲージ（３ｂａ）が収納する。また、係止している状態から第１係止部材（２０ｂａ）の一端（２８ｂａ）を押圧すると係止している状態から開放し、付勢する第２コイルバネ（２６ｂａ）により第１案内部材（４ｂａ）からゲージ（３ｂａ）が内方（矢印Ｂｂａ）へ押動する。つまり、係止している状態から、揺動自在な第１係止部材（２０ｂａ）の一端（２８ｂａ）を押圧すると係止している状態から開放し、第１案内部材（４ｂａ）に沿って第２コイルバネ（２６ｂａ）によりゲージ（３ｂａ）が押動する。なお、第２コイルバネ（２６ｂａ）を配置するのについて、第１案内部材（４ｂａ）近傍に第２コイルバネ（２６ｂａ）を配置してある。第２コイルバネ（２６ｂａ）は、圧縮型のコイルバネとしてある。第２コイルバネ（２６ｂａ）に連動するようにバネ受け（６５ｂａ）をゲージ（３ｂａ）に一体的に設けてある。第２コイルバネ（２６ｂａ）用の箱（６６ｂａ）を設けてある。また、特に図示しないが、各々の実施例である、事務用パンチのゲージ案内装置について、同様にしてもよい。実施例１５である、事務用パンチ（１ｂａ）のゲージ案内装置（２ｂａ）によれば、ゲージの収納時にて摩擦抵抗等による手に対する負担の度合を少なくすることができる。または、ゲージの収納に要する時間を短縮することができる。または、ゲージの収納が片手でもできる。または、上記の一連の効果を有するのにもかかわらず、あらかじめ選定した用紙のサイズに対応して、用紙にあける孔の位置を任意に変更することが可能である。さらに、上記の一連の効果を有するのにもかかわらず、加工が比較的容易で、使用する材料も少なくて済むので低コストで製造できる。
【００４３】
また、特に図示しないが、実施例１５である、事務用パンチ（１ｂａ）のゲージ案内装置（２ｂａ）にて、第１案内部材（４ｂａ）近傍に第２コイルバネ（２６ｂａ）を配置するのについて、次のようにしてもよい。第１案内部材（４ｂａ）にベースを一体的に配置する。第１案内部材（４ｂａ）近傍の該ベースに第２コイルバネ（２６ｂａ）を配置する。また、次のようにしてもよい。ベースの下面に装着した抜きカスを受ける底面カバーを第１案内部材（４ｂａ）に一体的に配置する。第１案内部材（４ｂａ）近傍の該底面カバーに第２コイルバネ（２６ｂａ）を配置する。また、特に図示しないが、各々の実施例である、事務用パンチのゲージ案内装置について、同様にしてもよい。
【００４４】
次に、本発明の他の一実施形態である、実施例１６である、事務用パンチ（１ｘ）のゲージ案内装置（２ｘ）について記す。実施例１６である、事務用パンチ（１ｘ）のゲージ案内装置（２ｘ）は、図５１〜５５にて、実施例２である、事務用パンチ（１ｋ）のゲージ案内装置（２ｋ）において、前記第１案内部材（４ｄ）に前記第１係止部材（２０）を一体的に配置し、に代えて、第１係合部材（１６ｘ）に前記第１係止部材（２０ｘ）を一体的に配置し、として、さらに次のようにしてある。第１係合部材（１６ｘ）と係合する第２係合部材（１８ｘ）（１８ｘａ）を設けてある。第１係合部材（１６ｘ）を案内する第２案内部材（１５ｘ）を第１案内部材（４ｘ）に平行に配置してある。第２係合部材（１８ｘ）（１８ｘａ）を第２案内部材（１５ｘ）に一体的に配置してある。第１係合部材（１６ｘ）と第２係合部材（１８ｘ）（１８ｘａ）が係合する位置（１９ｘ）（１９ｘａ）まで第２案内部材（１５ｘ）に沿って第１係合部材（１６ｘ）を移動すると、第１係合部材（１６ｘ）と第２係合部材（１８ｘ）（１８ｘａ）が係合して、第２係合部材（１８ｘ）（１８ｘａ）が第１係合部材（１６ｘ）を保持する。係合している状態から第１係合部材（１６ｘ）の一端（２７ｘ）を押圧すると係合している状態から開放する。第１係止部材（２０ｘ）が前記第２係止部材（２１ｘ）を係止する前記位置（２４ｘ）（２４ｘａ）を、第１係合部材（１６ｘ）と第２係合部材（１８ｘ）（１８ｘａ）により設定できる。前記第１案内部材（４ｘ）から前記ゲージ（３ｘ）を外方へ押動する方向（矢印Ｇｘ）に付勢する第２コイルバネ（２６ｘ）を配置してある。つまり、前記第１案内部材（４ｘ）に沿って前記ゲージ（３ｘ）を押動する第２コイルバネ（２６ｘ）を配置してある。前記第１係止部材（２０ｘ）と前記第２係止部材（２１ｘ）が係止する前記位置（２４ｘ）（２４ｘａ）まで第１案内部材（４ｘ）に沿ってゲージ（３ｘ）を移動すると、第１係止部材（２０ｘ）と第２係止部材（２１ｘ）が係止して、第１係止部材（２０ｘ）が第２係止部材（２１ｘ）を保持する。第１案内部材（４ｘ）にゲージ（３ｘ）が収納する。また、係止している状態から第１係止部材（２０ｘ）の一端（２８ｘ）を押圧すると係止している状態から開放し、付勢する第２コイルバネ（２６ｘ）により第１案内部材（４ｘ）からゲージ（３ｘ）が外方へ押動する。つまり、係止している状態から、揺動自在な第１係止部材（２０ｘ）の一端（２８ｘ）を押圧すると係止している状態から開放し、第１案内部材（４ｘ）に沿って第２コイルバネ（２６ｘ）によりゲージ（３ｘ）が押動する。また、図５４、５５において、第１係止部材（２０ｘ）の一端（２８ｘ）を押圧する場合の押圧用の操作口（６９ｘａ）に第２係合部材（１８ｘ）を設けてある。つまり、係合する位置（１９ｘ）では第２係合部材（１８ｘ）として作用し、係合する位置（１９ｘａ）では操作口（６９ｘａ）として作用する。第１係合部材（１６ｘ）の雄部（３６ｘ）と係合する雌部（３７ｘ）（３７ｘａ）を有する第２係合部材（１８ｘ）（１８ｘａ）を設けてある。なお、第２コイルバネ（２６ｘ）を配置するのについて、第１案内部材（４ｘ）近傍に第２コイルバネ（２６ｘ）を配置してある。第２コイルバネ（２６ｘ）は、圧縮型のコイルバネとしてある。第２コイルバネ（２６ｘ）に連動するようにバネ受け（６５ｘ）をゲージ（３ｘ）に一体的に設けてある。第２コイルバネ（２６ｘ）用の箱（６６ｘ）を設けてある。また、特に図示しないが、各々の実施例である、事務用パンチのゲージ案内装置について、同様にしてもよい。また、第１係合部材（１６ｘ）と第２係合部材が係合する位置を、係合する位置（１９ｘ）から係合する位置（１９ｘａ）、または、係合する位置（１９ｘａ）から係合する位置（１９ｘ）に設定することにより、あらかじめ選定したバネの圧力に任意に変更することができる。実施例１６である、事務用パンチ（１ｘ）のゲージ案内装置（２ｘ）によれば、ゲージの引き出し時にて摩擦抵抗等による手に対する負担の度合を少なくすることができる。または、ゲージの引き出しに要する時間を短縮することができる。または、ゲージの引き出しが片手でもできる。または、上記の一連の効果を有するのにもかかわらず、あらかじめ選定した用紙のサイズに対応して、用紙にあける孔の位置を任意に変更することが可能である。または、上記の一連の効果を有するのにもかかわらず、あらかじめ選定したバネの圧力に任意に変更することができ、バネの圧力を変更することによりゲージの引き出し時の安全性を高めることが可能である。さらに、上記の一連の効果を有するのにもかかわらず、加工が比較的容易で、使用する材料も少なくて済むので低コストで製造できる。
【００４５】
次に、本発明の他の一実施形態である、実施例１７である、事務用パンチ（１ｙ）のゲージ案内装置（２ｙ）について記す。実施例１７である、事務用パンチ（１ｙ）のゲージ案内装置（２ｙ）は、図５６〜６０にて、実施例８である、事務用パンチ（１）のゲージ案内装置（２）において、前記第１案内部材（４）に前記第１係止部材（７）を一体的に配置し、に代えて、第１係合部材（１６ｙ）に前記第１係止部材（７ｙ）を一体的に配置し、として、さらに次のようにしてある。第１係合部材（１６ｙ）と係合する第２係合部材（１８ｙ）（１８ｙａ）を設けてある。第１係合部材（１６ｙ）を案内する第２案内部材（１５ｙ）を第１案内部材（４ｙ）に平行に配置してある。第２係合部材（１８ｙ）（１８ｙａ）を第２案内部材（１５ｙ）に一体的に配置してある。第１係合部材（１６ｙ）と第２係合部材（１８ｙ）（１８ｙａ）が係合する位置（１９ｙ）（１９ｙａ）まで第２案内部材（１５ｙ）に沿って第１係合部材（１６ｙ）を移動すると、第１係合部材（１６ｙ）と第２係合部材（１８ｙ）（１８ｙａ）が係合して、第２係合部材（１８ｙ）（１８ｙａ）が第１係合部材（１６ｙ）を保持する。係合している状態から第１係合部材（１６ｙ）の一端（２７ｙ）を押圧すると係合している状態から開放する。第１係止部材（７ｙ）が前記第２係止部材（８ｙ）を係止する前記位置（１３ｙ）を、第１係合部材（１６ｙ）と第２係合部材（１８ｙ）（１８ｙａ）により設定できる。また、特に図示しないが、各々の実施例である、事務用パンチのゲージ案内装置について、同様にしてもよい。実施例１７である、事務用パンチ（１ｙ）のゲージ案内装置（２ｙ）によれば、ゲージの引き出しおよび収納時にて摩擦抵抗等による手に対する負担の度合を少なくすることができる。または、ゲージの引き出しおよび収納に要する時間を短縮することができる。または、ゲージの引き出しおよび収納が片手でもできる。または、磁性体または永久磁石の使用により機械的損失等が少なく長期使用しても安定した効果を半永久的に持続することが可能である。または、上記の一連の効果を有するのにもかかわらず、あらかじめ選定した用紙のサイズに対応して、用紙にあける孔の位置を任意に変更することが可能である。さらに、上記の一連の効果を有するのにもかかわらず、加工が比較的容易で、使用する材料も少なくて済むので低コストで製造できる。
【００４６】
次に、図５〜６、図６１〜６２、７３にて、実施例１８である、事務用パンチ（１ｖ）のゲージ案内装置（２ｖ）について記す。ゲージ（３ｖ）を設けてある。摺動自在にゲージ（３ｖ）を支持し案内する第１案内部材（４ｖ）を設けてある。用紙の端部にゲージ（３ｖ）の突端（５ｖ）を合致させて用紙の穿孔位置を位置決めする手段を有した事務用パンチのゲージ案内装置である。ゲージ（３ｖ）沿いに第１係止部材（２０ｖ）を配置してある。第２係止部材（２１ｖ）をゲージ（３ｖ）に一体的に配置してある。揺動自在な第１係止部材（２０ｖ）と係止する第２係止部材（２１ｖ）を設けてある。前記第１案内部材（４ｖ）から前記ゲージ（３ｖ）を外方へ押動する方向（矢印Ｇｖ）に付勢する第２コイルバネ（２６ｖ）を配置してある。つまり、前記第１案内部材（４ｖ）に沿って前記ゲージ（３ｖ）を押動する第２コイルバネ（２６ｖ）を配置してある。また、次のようにしてある。揺動自在な第１係止部材（２０ｖ）において、可撓性を有した樹脂製としてある。可撓性を有した樹脂製とすることにより、揺動自在にしてある。樹脂が有する弾性の力を利用してある。第１案内部材（４ｖ）に第１係止部材（２０ｖ）を一体的に配置してある。揺動自在な第１係止部材（２０ｖ）の雄部（２２ｖ）と係止する雌部（２３ｖ）を有する第２係止部材（２１ｖ）を設けてある。第１係止部材（２０ｖ）の雄部（２２ｖ）を配置してある。第２係止部材（２１ｖ）の雌部（２３ｖ）をゲージ（３ｖ）に配置してある。なお、実施例２である、事務用パンチ（１ｋ）のゲージ案内装置（２ｋ）の雌部（２３）と同様の形状に雌部（２３ｖ）はしてある。第２コイルバネ（２６ｖ）に連動するようにバネ受け（６５ｖ）をゲージ（３ｖ）に設けてある。また、次のようにしてある。図６１、６２にて、第１案内部材（４ｖ）に支持台（７７）を一体的に設けてある。図７３にて、軸（７５）は、支持台（７７）に固定してあり、伝達部材（７６）を貫通してある。伝達部材（７６）は、軸（７５）で支えてあり、回転方向（Ｌ）（Ｒ）に自在に回動する。バネ止め（７３）は支持台（７７）に固定してあり、バネ止め（７４）は伝達部材（７６）に固定してある。第２コイルバネ（２６ｖ）は、支持台（７７）において、軸（７５）を中心として巻いてあるねじりコイルバネで、両端をバネ止め（７３）（７４）に固定してある。よって、伝達部材（７６）は、第２コイルバネ（２６ｖ）の力を受けながら、回転方向（Ｌ）（Ｒ）に動作する。作用について説明する。前記第１係止部材（２０ｖ）と前記第２係止部材（２１ｖ）が係止する前記位置（２４ｖ）まで第１案内部材（４ｖ）に沿ってゲージ（３ｖ）を移動すると、第１係止部材（２０ｖ）と第２係止部材（２１ｖ）が係止して、第１係止部材（２０ｖ）が第２係止部材（２１ｖ）を保持する。第１案内部材（４ｖ）にゲージ（３ｖ）が収納する。係止している状態から第１係止部材（２０ｖ）の一端（２８ｖ）を押圧すると係止している状態から開放する。付勢する第２コイルバネ（２６ｖ）により第１案内部材（４ｖ）からゲージ（３ｖ）が外方（矢印Ｇｖ）へ押動する。つまり、係止している状態から、揺動自在な第１係止部材（２０ｖ）の一端（２８ｖ）を押圧すると係止している状態から開放し、第１案内部材（４ｖ）に沿って第２コイルバネ（２６ｖ）によりゲージ（３ｖ）が押動する。また、特に図示しないが、各々の実施例である、事務用パンチのゲージ案内装置について、同様にしてもよい。実施例１８である、事務用パンチ（１ｖ）のゲージ案内装置（２ｖ）によれば、ゲージの引き出しおよび収納時にて摩擦抵抗等による手に対する負担の度合を少なくすることができる。また、ゲージの収納が片手でもできる。さらに、上記の一連の効果を有するのにもかかわらず、加工が比較的容易で、使用する材料も少なくて済むので低コストで製造できる。
【００４７】
次に、図６３〜６４、６７にて、実施例１９である、事務用パンチ（１ｔ）のゲージ案内装置（２ｔ）について記す。ゲージ（３ｔ）を設けてある。摺動自在にゲージ（３ｔ）を支持し案内する第１案内部材（４ｔ）を設けてある。用紙の端部にゲージ（３ｔ）の突端（５ｔ）を合致させて用紙の穿孔位置を位置決めする手段を有した事務用パンチのゲージ案内装置である。ゲージ（３ｔ）沿いに第１係止部材（２０ｔ）を配置してある。第２係止部材（２１ｔ）をゲージ（３ｔ）に一体的に配置してある。揺動自在な第１係止部材（２０ｔ）と係止する第２係止部材（２１ｔ）を設けてある。前記第１案内部材（４ｔ）から前記ゲージ（３ｔ）を外方へ押動する方向（Ｇｔ）に付勢する第２コイルバネ（２６ｔ）を配置してある。つまり、前記第１案内部材（４ｔ）に沿って前記ゲージ（３ｔ）を押動する第２コイルバネ（２６ｔ）を配置してある。また、次のようにしてある。第１案内部材（４ｔ）に第１係止部材（２０ｔ）を一体的に配置してある。揺動自在な第１係止部材（２０ｔ）の雄部（２２ｔ）と係止する雌部（２３ｔ）を有する第２係止部材（２１ｔ）を設けてある。第１係止部材（２０ｔ）の雄部（２２ｔ）を配置してある。第２係止部材（２１ｔ）の雌部（２３ｔ）をゲージ（３ｔ）に配置してある。また、ゲージ（３ｔ）の一部を凹状にして雌部（２３ｔ）を設けてある。雄部（２２ｔ）が雌部（２３ｔ）に挿入して係止するようにしてあるが、図６３、６４にて、雌部（２３ｔ）は省略して描いてある。第２コイルバネ（２６ｔ）に連動するようにバネ受け（６５ｔ）をゲージ（３ｔ）に設けてある。また、次のようにしてある。図６３、６４、６７にて、第１係止部材（２０ｔ）について説明する。なお、第２コイルバネ（２６ｔ）と弾性体は兼用してある。よって、下記にて、弾性体は、弾性体（２６ｔ）と記す。軸（７５ｔ）は、第１案内部材（４ｔ）に一体的に設けてあり、伝達部材（７６ｔ）を貫通してある。伝達部材（７６ｔ）は、軸（７５ｔ）で支えてあり、回転方向（Ｌｔ）（Ｒｔ）に自在に回動する。弾性体（２６ｔ）において、コイルバネ、としてある。第２コイルバネ（２６ｔ）である、弾性体（２６ｔ）は、圧縮型のコイルバネで、一端をバネ受け（６５ｔ）、一端を伝達部材（７６ｔ）に接するよう設けてある。よって、伝達部材（７６ｔ）は、弾性体（２６ｔ）の力を受けながら、回転方向（Ｌｔ）（Ｒｔ）に動作する。なお、揺動自在な第１係止部材（２０ｔ）において、弾性体（２６ｔ）を一体的に設け、としてある。弾性体（２６ｔ）を一体的に設けることにより、揺動自在にしてある。作用について説明する。前記第１係止部材（２０ｔ）と前記第２係止部材（２１ｔ）が係止する前記位置（２４ｔ）まで第１案内部材（４ｔ）に沿ってゲージ（３ｔ）を移動すると、第１係止部材（２０ｔ）と第２係止部材（２１ｔ）が係止して、第１係止部材（２０ｔ）が第２係止部材（２１ｔ）を保持する。第１案内部材（４ｔ）にゲージ（３ｔ）が収納する。係止している状態から第１係止部材（２０ｔ）の一端（２８ｔ）を押圧すると係止している状態から開放する。付勢する第２コイルバネ（２６ｔ）により第１案内部材（４ｔ）からゲージ（３ｔ）が外方へ押動する。つまり、係止している状態から、揺動自在な第１係止部材（２０ｔ）の一端（２８ｔ）を押圧すると係止している状態から開放し、第１案内部材（４ｔ）に沿って第２コイルバネ（２６ｔ）によりゲージ（３ｔ）が押動する。さらに詳細に説明する。収納してあるゲージ（３ｔ）を第１案内部材（４ｔ）から外方（Ｇｔ）へ移動するのについて記す。図６３にて、係止している状態から第１係止部材（２０ｔ）の一端（２８ｔ）を外側に指等で押圧する。図６４にて、押圧すると、第１係止部材（２０ｔ）の雄部（２２ｔ）が第２係止部材（２１ｔ）の雌部（２３ｔ）を開放する。開放すると、圧縮していた第２コイルバネ（２６ｔ）が伸長して付勢する力により、バネ受け（６５ｔ）が押圧され、ゲージ（３ｔ）が外方（Ｇｔ）に移動する。無負荷になった第２コイルバネ（２６ｔ）により、伝達部材（７６ｔ）に接する第２コイルバネ（２６ｔ）の一端も同様に無負荷となり、軸（７５ｔ）を中心に回転方向（Ｒｔ）に第１係止部材（２０ｔ）は動いたまま停止する。次に、第１案内部材（４ｔ）より外方（Ｇｔ）に位置しているゲージ（３ｔ）を第１案内部材（４ｔ）に収納するのについて記す。図６４にて、第１案内部材（４ｔ）に沿って収納する方向にゲージ（３ｔ）を指等で移動する。図６３にて、移動すると、第２コイルバネ（２６ｔ）がバネ受け（６５ｔ）に押圧されて圧縮する。圧縮すると、伝達部材（７６ｔ）に接する第２コイルバネ（２６ｔ）の一端も押圧される。押圧されると、軸（７５ｔ）を中心に回転方向（Ｌｔ）に第１係止部材（２０ｔ）は動き、やがて、第１係止部材（２０ｔ）と第２係止部材（２１ｔ）が係止する。また、特に図示しないが、各々の実施例である、事務用パンチのゲージ案内装置について、同様にしてもよい。実施例１９である、事務用パンチ（１ｔ）のゲージ案内装置（２ｔ）によれば、ゲージの引き出しおよび収納時にて摩擦抵抗等による手に対する負担の度合を少なくすることができる。また、ゲージの収納が片手でもできる。さらに、上記の一連の効果を有するのにもかかわらず、加工が比較的容易で、使用する材料も少なくて済むので低コストで製造できる。
【００４８】
次に、図６５〜６６、６８にて、実施例２０である、事務用パンチ（１ｕ）のゲージ案内装置（２ｕ）について記す。ゲージ（３ｕ）を設けてある。摺動自在にゲージ（３ｕ）を支持し案内する第１案内部材（４ｕ）を設けてある。用紙の端部にゲージ（３ｕ）の突端（５ｕ）を合致させて用紙の穿孔位置を位置決めする手段を有した事務用パンチのゲージ案内装置である。ゲージ（３ｕ）沿いに第１係止部材（２０ｕ）を配置してある。第２係止部材（２１ｕ）をゲージ（３ｕ）に一体的に配置してある。揺動自在な第１係止部材（２０ｕ）と係止する第２係止部材（２１ｕ）を設けてある。前記第１案内部材（４ｕ）から前記ゲージ（３ｕ）を外方へ押動する方向（Ｇｕ）に付勢する第２コイルバネ（２６ｕ）を配置してある。つまり、前記第１案内部材（４ｕ）に沿って前記ゲージ（３ｕ）を押動する第２コイルバネ（２６ｕ）を配置してある。第２コイルバネ（２６ｕ）は、引っ張り型のコイルバネとしてある。第１案内部材（４ｕ）の外方寄りに第２コイルバネ（２６ｕ）の一端を配置し固定してある。ゲージ（３ｕ）の内方寄りに第２コイルバネ（２６ｕ）の一端を配置し固定してある。また、次のようにしてある。第２コイルバネ（２６ｕ）は、圧縮型のコイルバネで、両端をバネ止め（７３ｔ）（７４ｔ）に固定してある。図６５、６６にて、バネ止め（７３ｔ）はゲージ（３ｕ）に、バネ止め（７４ｔ）は第１案内部材（４ｕ）内側に各々設けてある。また、次のようにしてある。第１案内部材（４ｕ）に第１係止部材（２０ｕ）を一体的に配置してある。揺動自在な第１係止部材（２０ｕ）の雄部（２２ｕ）と係止する雌部（２３ｕ）を有する第２係止部材（２１ｕ）を設けてある。第１係止部材（２０ｕ）の雄部（２２ｕ）を配置してある。第２係止部材（２１ｕ）の雌部（２３ｕ）をゲージ（３ｕ）に配置してある。また、ゲージ（３ｕ）の一部を凹状にして雌部（２３ｕ）を設けてある。雄部（２２ｕ）が雌部（２３ｕ）に挿入して係止するようにしてあるが、図６５、６６にて、雌部（２３ｕ）は省略して描いてある。図６５、６６、６８にて、第１係止部材（２０ｕ）について説明する。軸（７５ｕ）は、第１案内部材（４ｕ）に一体的に設けてあり、伝達部材（７６ｕ）を貫通してある。伝達部材（７６ｕ）は、軸（７５ｕ）で支えてあり、回転方向（Ｌｕ）（Ｒｕ）に自在に回動する。弾性体（７９）においては、板バネ、としてある。弾性体（７９）は、一端を第１案内部材（４ｕ）、一端を伝達部材（７６ｕ）に接するよう設けてある。よって、伝達部材（７６ｕ）は、弾性体（７９）の力を受けながら、回転方向（Ｌｕ）（Ｒｕ）に動作する。なお、揺動自在な第１係止部材（２０ｕ）において、弾性体（７９）を一体的に設け、としてある。弾性体（７９）を一体的に設けることにより、揺動自在にしてある。作用について説明する。前記第１係止部材（２０ｕ）と前記第２係止部材（２１ｕ）が係止する前記位置（２４ｕ）まで第１案内部材（４ｕ）に沿ってゲージ（３ｕ）を移動すると、第１係止部材（２０ｕ）と第２係止部材（２１ｕ）が係止して、第１係止部材（２０ｕ）が第２係止部材（２１ｕ）を保持する。第１案内部材（４ｕ）にゲージ（３ｕ）が収納する。第２コイルバネ（２６ｕ）は、負荷が加えられ伸長したままの状態となっている。係止している状態から第１係止部材（２０ｕ）の一端（２８ｕ）を押圧すると係止している状態から開放する。付勢する第２コイルバネ（２６ｕ）により第１案内部材（４ｕ）からゲージ（３ｕ）が外方へ押動する。つまり、係止している状態から、揺動自在な第１係止部材（２０ｕ）の一端（２８ｕ）を押圧すると係止している状態から開放し、第１案内部材（４ｕ）に沿って第２コイルバネ（２６ｕ）によりゲージ（３ｕ）が押動する。第２コイルバネ（２６ｕ）は、負荷から開放して縮小し無負荷の状態となる。また、特に図示しないが、各々の実施例である、事務用パンチのゲージ案内装置について、同様にしてもよい。実施例２０である、事務用パンチ（１ｕ）のゲージ案内装置（２ｕ）によれば、ゲージの引き出しおよび収納時にて摩擦抵抗等による手に対する負担の度合を少なくすることができる。また、ゲージの収納が片手でもできる。さらに、上記の一連の効果を有するのにもかかわらず、加工が比較的容易で、使用する材料も少なくて済むので低コストで製造できる。
【００４９】
次に、本発明の他の一実施形態である、実施例２１である、事務用パンチ（１ｃ）のゲージ案内装置（２ｃ）について記す。実施例２１である、事務用パンチ（１ｃ）のゲージ案内装置（２ｃ）は、特に図示しないが、実施例５である、事務用パンチ（１ｚ）のゲージ案内装置（２ｚ）にて、第１案内部材（４ｚ）に第１係止部材（２０ｚ）を一体的に配置してある、に代えて、第１係合部材に第１係止部材を一体的に配置し、としてある。第１係合部材と係合する第２係合部材を設けてある。第１係合部材を案内する第２案内部材を第１案内部材に平行に配置してある。第１係合部材を案内する第３案内部材を第１案内部材に平行に配置してある。第２係合部材を第３案内部材に一体的に配置してある。第１係合部材と第２係合部材が係合する位置まで第２案内部材に沿って第１係合部材を移動すると、第１係合部材と第２係合部材が係合して、第２係合部材が第１係合部材を保持する。また、係合している状態から第１係合部材の一端を押圧すると係合している状態から開放する。第１係止部材が前記第２係止部材を係止する前記位置を、第１係合部材と第２係合部材により設定できる。また、揺動自在な第１係合部材の雄部と係合する雌部を有する第２係合部材を設け、としてある。また、特に図示しないが、各々の実施例である、事務用パンチのゲージ案内装置について、同様にしてもよい。
【００５０】
次に、本発明の他の一実施形態である、実施例２２である、事務用パンチ（１ｑ）のゲージ案内装置（２ｑ）について記す。実施例２２である、事務用パンチ（１ｑ）のゲージ案内装置（２ｑ）は、特に図示しないが、実施例２１である、事務用パンチ（１ｃ）のゲージ案内装置（２ｃ）において、次のようにしてある。前記第１案内部材に沿って前記ゲージを押動する第２コイルバネを配置してある。前記第１係止部材と前記第２係止部材が係止する前記位置まで第１案内部材に沿ってゲージを移動すると、第１係止部材と第２係止部材が係止して、第１係止部材が第２係止部材を保持する。係止している状態から、揺動自在な第１係止部材の一端を、押圧すると係止している状態から開放し、第１案内部材に沿って第２コイルバネによりゲージが押動する。なお、バネを配置するのについて、第１案内部材近傍にバネを配置してある。また、特に図示しないが、各々の実施例である、事務用パンチのゲージ案内装置について、同様にしてもよい。また、前記揺動自在な第１係止部材の一端、に代えて、揺動自在な第２係止部材の一端とした事務用パンチのゲージ案内装置としてもよい。
【００５１】
近年、用紙のサイズにおいてはＢ規格（Ｂサイズ）よりＡ規格（Ａサイズ）の方を使用する傾向がある。また、Ａ規格（Ａサイズ）においても、どちらかといえば、Ａ３、Ａ５よりもＡ４の使用が多い傾向にある。このような観点から、特に図示しないが、各々の実施例である、事務用パンチのゲージ案内装置について、係止する位置を固定したものはＡ４のサイズに固定してもよい。
【００５２】
また、各々の実施例である、事務用パンチのゲージ案内装置について次のようにしてある。第１案内部材、第２案内部材、第３案内部材はレール状に設けてある。第１案内部材、第２案内部材は、断面ロ字状の長尺部材にスリットを設けてある。用紙の端部がゲージの突端に合致しやすいように、ゲージの突端をＬ字状に設けてある。また、各々の実施例である、事務用パンチのゲージ案内装置について、次のようにしてもよい。断面ロ字状の長尺部材にスリットを設けた第１案内部材、第２案内部材は、スリットが上下左右のいずれかを向いていてもよい。第１案内部材、第２案内部材は、断面ロ字状において、底辺が円弧状を有した断面ロ字状であってもよい。第１案内部材と第２案内部材は、上下に一体的に設けてもよいし、左右に一体的に設けてもよい。ゲージは断面にて横長の長方形状である。ゲージは断面エの字状としてもよい。ゲージは第１案内部材に対応するよう形状を設けてもよい。該第１案内部材と該ゲージの形状を逆にしてもよい。ゲージを手等で移動させる場合に移動が容易なようにゲージに取っ手を設けてもよい。なお、ゲージについては、別称として、ペーパーガイドともいう。
【００５３】
また、各々の実施例である、事務用パンチのゲージ案内装置について、揺動自在な第１係止部材、揺動自在な第２係止部材について、次のようにしてもよい。係止部材の材質として、合成樹脂、金属、ゴム等があげられるが他の材料を選択してもよい。また、次のようにしてもよい。実施例１９である、事務用パンチ（１ｔ）のゲージ案内装置（２ｔ）にて、コイルバネである弾性体（２６ｔ）、または、実施例２０である、事務用パンチ（１ｕ）のゲージ案内装置（２ｕ）にて、板バネである弾性体（７９）は、金属であるが、合成樹脂等でもよい。また、弾性体は、合成樹脂、金属、ゴム等でもよいが他の材料を選択してもよい。また、各々の実施例である、事務用パンチのゲージ案内装置について、特に図示しないが、コイルバネ、板バネ、第２コイルバネについて、伸長する方向に加えた負荷を開放すると該伸長する方向の反対方向に復位する伸長型のバネを伸縮自在に設けてもよい。また、コイルバネ、第２コイルバネは、ねじりコイルバネとしてもよい。また、次のようにしてもよい。コイルバネ、板バネ、第２コイルバネを配置するのについて、第１案内部材またはゲージに平行にバネを配置してもよい。第２コイルバネの一端をゲージに一体的に配置してもよい。第２コイルバネの両端をゲージに一体的に配置してもよい。第２コイルバネの一端を第１案内部材に一体的に配置してもよい。コイルバネ、板バネ、第２コイルバネの一端をベースに一体的に配置してもよい。コイルバネ、板バネ、第２コイルバネの一端に重りをつけて固定してもよい。また、次のようにしてもよい。第２コイルバネを配置するのについて、第１案内部材、または、第２案内部材内に配置してもよい。第１案内部材、または、第２案内部材近傍に第２コイルバネを配置してもよい。また、バネの動作時の案内用として、コイルバネ、第２コイルバネの内側に棒を設けてもよい。あるいは、コイルバネ、第２コイルバネの側面に案内用の壁等を設けてもよい。また、バネの材質として、合成樹脂、金属、ゴム等があげられるが他の材料を選択してもよい。
【００５４】
また、各々の実施例である、事務用パンチのゲージ案内装置について、特に図示しないが、次のようにしてもよい。Ｂ規格（Ｂサイズ）、Ａ規格（Ａサイズ）等の用紙のサイズに対して、第２コイルバネの圧力が可変するように、バネの長さを可変可能なように、ねじ等で調整するようにしてもよい。実施例１４である、事務用パンチ（１ｗ）のゲージ案内装置（２ｗ）のように、あらかじめ選定した用紙のサイズに対応して、用紙にあける孔の位置を任意に変更することが可能であるが、また、用紙のサイズに対応して、用紙にあける孔の位置を任意に変更することと、第２コイルバネの圧力を可変させることを、連動するように設けてもよい。あるいは、第１係合部材と第２コイルバネの一端を連接して設け、連動するようにしてもよい。また、各々の実施例である、事務用パンチのゲージ案内装置について、特に図示しないが、次のようにしてもよい。動作時のバネの圧力を緩和するためのクッションとして、防音対策として、逆戻り防止として、第２コイルバネの両側に板ばね等を設けてもよい。市販の文具用カッター等に使用のものでもよい。あるいは、動作時のバネの圧力を緩和するためのクッションとして、第２コイルバネの両側にボール状のもの等を設けてもよい。また、該クッションを、Ｂ規格（Ｂサイズ）、Ａ規格（Ａサイズ）等の用紙のサイズに対して、第２コイルバネの圧力が可変するように設けてもよい。また、次のようにしてもよい。第２コイルバネの動作時の圧力を緩和するため、第１案内部材を傾斜して設けてもよい。
【００５５】
また、各々の実施例である、事務用パンチのゲージ案内装置について、特に図示しないが、次のようにしてもよい。第１係止部材と第２係止部材等に代えて、市販のボールペンで使用のノック型のラッチ式としてもよい。また、市販のガラス用の扉で使用のラッチ式としてもよい。また、周知の事実であるベルト用のバックル式としてもよい。また、次のようにしてもよい。第１係止部材として、回転する歯車等を用いたものを利用したものであってもよい。また、各々の実施例である、事務用パンチのゲージ案内装置について、特に図示しないが、次のようにしてもよい。第１係合部材と第２係合部材に代えて、ねじ等で調整するものであってもよい。
【００５６】
また、各々の実施例である、事務用パンチのゲージ案内装置について、特に図示しないが、次のようにしてもよい。永久磁石、磁性体について、係止する相互の面の形状、つまり、対向する面の形状は、円形、三角形、四角形、五角形他、どのような形のものでもよい。また、次のようにしてもよい。磁性体について、半硬質磁石としてもよい。磁性体の材質として、マルテンサイト系ステンレス鋼、Ｍｎ鋼系、Ｃｒ−Ｃｏ系、析出硬化系ステンレス鋼、Ｃｒ鋼等があげられるが他の材料を選択してもよい。また、Ｆｅ系、Ｆｅ−Ｖ系、Ｆｅ−Ｃｏ系、Ｆｅ−Ｃｒ系等のＦｅ合金、フェロックスプレーナ、Ｎｉ−フェライト等のフェライト、希土類−コバルト合金などでもよい。また、次のようにしてもよい。永久磁石の材質として、フェライト系プラスチックマグネット、フェライト系焼結マグネット、希土類マグネット（Ｓｎ−Ｃｏ系）（Ｎｄ−Ｆｅ−Ｂ系）、金属磁石（Ａｌ−Ｎｉ−Ｃｏ系）（Ｆｅ−Ｃｒ−Ｃｏ系）、ゴム磁石等があげられるが他の材料を選択してもよい。
【００５７】
また、次のようにしてある。実施例１である、事務用パンチ（１ｄ）のゲージ案内装置（２ｄ）にて、第２係止部材（２１）をゲージ（３ｄ）に一体的に配置してある、について、図３で、第２係止部材（２１）とゲージ（３ｄ）を合成樹脂により一体に成型加工してある。また、同様に、第１案内部材（４ｄ）に第１係止部材（２０）を一体的に配置してある、について、第１案内部材（４ｄ）に第１係止部材（２０）を合成樹脂により一体に成型加工してある。また、特に図示しないが、第２係止部材（２１）をゲージ（３ｄ）にビス等で固定し、一体的に設けてもよい。また、同様に、第１案内部材（４ｄ）に第１係止部材（２０）をビス等で固定し、一体的に設けてもよい。また、次のようにしてある。実施例８である、事務用パンチ（１）のゲージ案内装置（２）にて、第２係止部材（８）をゲージ（３）に一体的に配置してある、について、図３２、３９で、第２係止部材（８）である永久磁石（１０）をゲージ（３）に粘着材で固定し、一体的に設けてある。また、同様に、図３２、３９で、第１案内部材（４）に第１係止部材（７）を一体的に配置してある、について、第１係止部材（７）である永久磁石（９）を第１案内部材（４）に粘着材で固定し、一体的に設けてある。また、特に図示しないが、第２係止部材（８）である永久磁石（１０）をゲージ（３）にビス等で固定し、一体的に設けてもよい。また、同様に、第１係止部材（７）である永久磁石（９）を第１案内部材（４）にビス等で固定し、一体的に設けてもよい。また、同様に、次のようにしてある。実施例９である、事務用パンチ（１ａ）のゲージ案内装置（２ａ）にて、第２係止部材（８）をゲージ（３）に一体的に配置してある、について、第２係止部材（８）である磁性体（１１）をゲージ（３）に粘着材で固定し、一体的に設けてある。特に図示しないが、第２係止部材（８）である磁性体（１１）をゲージ（３）にビス等で固定し、一体的に設けてもよい。実施例１０である、事務用パンチ（１ｂ）のゲージ案内装置（２ｂ）にて、第１案内部材（４）に第１係止部材（７）を一体的に配置してある、について、第１係止部材（７）である磁性体（１２）を第１案内部材（４）に粘着材で固定し、一体的に設けてある。特に図示しないが、第１係止部材（７）である磁性体（１２）を第１案内部材（４）にビス等で固定し、一体的に設けてもよい。また、次のようにしてある。実施例１４である、事務用パンチ（１ｗ）のゲージ案内装置（２ｗ）にて、図４１〜４５で、第２係合部材（１８）（１８ｗ）を第２案内部材（１５）に一体的に配置してある、について、第２係合部材（１８）（１８ｗ）と第２案内部材（１５）を合成樹脂により一体に成型加工してある。第２案内部材（１５）上に第２係合部材（１８）（１８ｗ）を一体に成型加工してある。また、特に図示しないが、第１係合部材（１６）に前記第１係止部材（２０ｗ）をビス等で固定し、一体的に設けてもよい。また、同様に、第２係合部材（１８）（１８ｗ）を第２案内部材（１５）にビス等で固定し、一体的に設けてもよい。
【００５８】
また、実施例１である、事務用パンチ（１ｄ）のゲージ案内装置（２ｄ）について、事務用パンチ（１ｄ）のゲージ案内装置（２ｄ）を有する事務用パンチ（１ｄ）としてもよい。各々の実施例である、事務用パンチのゲージ案内装置について、同様にしてもよい。また、各々の実施例である、事務用パンチのゲージ案内装置について、特に図示しないが、第２係合部材をシーソーの原理を利用したものとしてもよい。各々の実施例である、事務用パンチのゲージ案内装置について、同様にしてもよい。また、次のようにしてもよい。実施例１４である、事務用パンチ（１ｗ）のゲージ案内装置（２ｗ）において、第１係合部材（１６）と第２係合部材（１８）（１８ｗ）が係合する位置（１９）（１９ｗ）まで第２案内部材（１５）に沿って第１係合部材（１６）を移動すると、第１係合部材（１６）と第２係合部材（１８）（１８ｗ）が係合して、第２係合部材（１８）（１８ｗ）が第１係合部材（１６）を保持する、に代えて、第１係合部材（１６）と第２係合部材（１８）（１８ｗ）が係合する位置（１９）（１９ｗ）まで第２案内部材（１５）に沿って第１係止部材（２０ｗ）を移動すると、第１係合部材（１６）と第２係合部材（１８）（１８ｗ）が係合して、第２係合部材（１８）（１８ｗ）が第１係合部材（１６）を保持する、としてもよい。各々の実施例である、事務用パンチのゲージ案内装置について、同様にしてもよい。
【００５９】
また、特に図示しないが、各々の実施例である、事務用パンチのゲージ案内装置について、次のように組み合わせてもよい。実施例１〜４、６、１６である、事務用パンチのゲージ案内装置のうち、どれかひとつの実施例と、実施例５、７、８〜１０、１４、１５、１７である、事務用パンチのゲージ案内装置のうち、どれかひとつの実施例を組み合わせてもよい。また、実施例５、７、１４、１５、１７である、事務用パンチのゲージ案内装置のうち、どれかひとつの実施例と、実施例１１である、事務用パンチ（１ｅ）のゲージ案内装置（１ｅ）を組み合わせてもよい。また、各々の実施例である、事務用パンチのゲージ案内装置について、同様に各々組み合わせてもよい。なお、組み合わせる場合において、第１案内部材、ゲージ、第２係止部材等は共用して共通のものを使用してもよい。また、組み合わせる場合において、第１係止部材、第２係止部材、第２コイルバネ、第１係合部材、第２係合部材等が接触などしないように位置を調整してずらしたりして設けてもよい。
【図面の簡単な説明】
【００６０】
【図１】実施例１、２の斜視図。
【図２】図１と同様で実施例１、２の斜視図。
【図３】実施例１、２の分解図。
【図４】実施例１、２の事務用パンチの透視斜視図。
【図５】実施例１８の第１係止部材と第２係止部材が係止している拡大正面図。
【図６】図６と同様で実施例１８の開放した拡大正面図。
【図７】実施例１、２、６の第１係止部材と第２係止部材が係止している拡大斜視図。
【図８】図７と同様で実施例１、２、６の開放した拡大斜視図。
【図９】実施例１、２、６の第１係止部材と第２係止部材の拡大透視正面図。
【図１０】図９と同様で実施例１、２、６の拡大透視正面図。
【図１１】図９と同様で実施例１、２、６の拡大透視正面図。
【図１２】図９と同様で実施例１、２、６の拡大透視正面図。
【図１３】実施例３、４の第１係止部材と第２係止部材の拡大透視正面図。
【図１４】図１３と同様で実施例３、４の拡大透視正面図。
【図１５】図１３と同様で実施例３、４の拡大透視正面図。
【図１６】図１３と同様で実施例３、４の拡大透視正面図。
【図１７】実施例５の斜視図。
【図１８】図１７と同様で実施例５の斜視図。
【図１９】実施例５の分解図。
【図２０】実施例５の事務用パンチの透視斜視図。
【図２１】実施例６の斜視図。
【図２２】図２１と同様で実施例６の斜視図。
【図２３】実施例６の分解図。
【図２４】実施例６の事務用パンチの透視斜視図。
【図２５】実施例７の斜視図。
【図２６】図２５と同様で実施例７の斜視図。
【図２７】実施例７の分解図。
【図２８】実施例７の事務用パンチの透視斜視図。
【図２９】実施例８〜１０の斜視図。
【図３０】図２９と同様で実施例８〜１０の斜視図。
【図３１】実施例８〜１０の事務用パンチの透視斜視図。
【図３２】実施例８〜１０の分解図。
【図３３】実施例１１の斜視図。
【図３４】図３３と同様で実施例１１の斜視図。
【図３５】実施例１２の斜視図。
【図３６】図３５と同様で実施例１２の斜視図。
【図３７】実施例１３の斜視図。
【図３８】図３７と同様で実施例１３の斜視図。
【図３９】実施例８〜１０の第１係止合部材と第２係止部材が係止している拡大斜視図。
【図４０】実施例１３の第１係止合部材と第２係止部材が係止している拡大斜視図。
【図４１】実施例１４の部分斜視図。
【図４２】図４１と同様で実施例１４の部分斜視図。
【図４３】図４１と同様で実施例１４の部分斜視図。
【図４４】実施例１４の事務用パンチの透視斜視図。
【図４５】実施例１４の分解図。
【図４６】実施例１５の部分斜視図。
【図４７】図４６と同様で実施例１５の部分斜視図。
【図４８】図４６と同様で実施例１５の部分斜視図。
【図４９】実施例１５の事務用パンチの透視斜視図。
【図５０】実施例１５の分解図。
【図５１】実施例１６の部分斜視図。
【図５２】図５１と同様で実施例１６の部分斜視図。
【図５３】図５１と同様で実施例１６の部分斜視図。
【図５４】実施例１６の事務用パンチの透視斜視図。
【図５５】実施例１６の分解図。
【図５６】実施例１７の部分斜視図。
【図５７】図５６と同様で実施例１７の部分斜視図。
【図５８】図５６と同様で実施例１７の部分斜視図。
【図５９】実施例１７の事務用パンチの透視斜視図。
【図６０】実施例１７の分解図。
【図６１】実施例１８の透視正面図。
【図６２】図６１と同様で実施例１８の透視正面図。
【図６３】実施例１９の透視正面図。
【図６４】図６３と同様で実施例１９の透視正面図。
【図６５】実施例２０の透視正面図。
【図６６】図６５と同様で実施例２０透視正面図。
【図６７】実施例１９の第１係止部材の拡大正面図。
【図６８】実施例２０の第１係止部材の拡大正面図。
【図６９】実施例１４の他の第１係合部材と第２案内部材等の部分拡大斜視図。
【図７０】実施例１４の第１係合部材と第２案内部材等の部分拡大斜視図。
【図７１】図７０と同様で実施例１４の部分拡大斜視図。
【図７２】実施例１４の他の第１係合部材と第２案内部材等の部分拡大斜視図。
【図７３】実施例１８の部分拡大透視正面図。
【符号の説明】
【００６１】
（１）        事務用パンチ
（２）        ゲージ案内装置、実施例８
（２ａ）      ゲージ案内装置、実施例９
（２ｂ）      ゲージ案内装置、実施例１０
（２ｃ）      ゲージ案内装置、実施例２１
（２ｄ）      ゲージ案内装置、実施例１
（２ｅ）      ゲージ案内装置、実施例１１
（２ｆ）      ゲージ案内装置、実施例１３
（２ｈ）      ゲージ案内装置、実施例１２
（２ｊ）      ゲージ案内装置、実施例６
（２ｋ）      ゲージ案内装置、実施例２
（２ｎ）      ゲージ案内装置、実施例４
（２ｑ）      ゲージ案内装置、実施例２２
（２ｔ）      ゲージ案内装置、実施例１９
（２ｕ）      ゲージ案内装置、実施例２０
（２ｖ）      ゲージ案内装置、実施例１８
（２ｗ）      ゲージ案内装置、実施例１４
（２ｘ）      ゲージ案内装置、実施例１６
（２ｙ）      ゲージ案内装置、実施例１７
（２ｚ）      ゲージ案内装置、実施例５
（２ａａ）    ゲージ案内装置、実施例７
（２ｂａ）    ゲージ案内装置、実施例１５
（３）        ゲージ
（４）        第１案内部材
（５）        突端
（７）        第１係止部材
（８）        第２係止部材
（９）        永久磁石
（１０）      永久磁石
（１１）      磁性体
（１２）      磁性体
（１３）      位置
（１４）      接続部材
（１５）      第２案内部材
（１６）      第１係合部材
（１７）      第３案内部材
（１８）      第２係合部材
（１９）      位置
（２０）      第１係止部材
（２１）      第２係止部材
（２２）      雄部
（２３）      雌部
（２４）      位置
（２６）      第２コイルバネ、弾性体
（２７）      一端
（２８）      一端
（２９）      外方
（３０）      支持部
（３２）      端部
（３３）      端部
（３４）      端部
（３５）      支持部
（３６）      雄部
（３７）      雌部
（３８）      押圧部
（３９）      押圧部
（４０）      側面
（４１）      側面
（４２）      差込用開口部
（４４）      ハウジング
（４５）      一側面
（４６）      操作用開口部
（４７）      側面
（４８）      第２係止面部
（４９）      基板
（５０）      一端
（５１）      差込脚部
（５２）      第１係止面部
（５５）      押圧操作部
（５６）      第２係止面部
（５９）      側面
（６４）      断面凸字状
（６５）      バネ受け
（６６）      箱
（６７）      係合部材止め受け
（６８）      係合部材止め部
（６９）      操作口
（７０）      凸部
（７１）      凹部
（７２）      辺
（７３）      バネ止め
（７４）      バネ止め
（７５）      軸
（７６）      伝達部材
（７７）      支持台
（７８）      一端
（７９）      弾性体
（矢印Ｂ）    内方  
（矢印Ｇ）    外方
（矢印Ｕ）    上の方向
（矢印Ｄ）    下の方向
（矢印Ｒ）    回転方向
（矢印Ｌ）    回転方向
【図１】
0005343232.tif 000002
【図２】
0005343232.tif 000003
【図３】
0005343232.tif 000004
【図４】
0005343232.tif 000005
【図５】
0005343232.tif 000006
【図６】
0005343232.tif 000007
【図７】
0005343232.tif 000008
【図８】
0005343232.tif 000009
【図９】
0005343232.tif 000010
【図１０】
0005343232.tif 000011
【図１１】
0005343232.tif 000012
【図１２】
0005343232.tif 000013
【図１３】
0005343232.tif 000014
【図１４】
0005343232.tif 000015
【図１５】
0005343232.tif 000016
【図１６】
0005343232.tif 000017
【図１７】
0005343232.tif 000018
【図１８】
0005343232.tif 000019
【図１９】
0005343232.tif 000020
【図２０】
0005343232.tif 000021
【図２１】
0005343232.tif 000022
【図２２】
0005343232.tif 000023
【図２３】
0005343232.tif 000024
【図２４】
0005343232.tif 000025
【図２５】
0005343232.tif 000026
【図２６】
0005343232.tif 000027
【図２７】
0005343232.tif 000028
【図２８】
0005343232.tif 000029
【図２９】
0005343232.tif 000030
【図３０】
0005343232.tif 000031
【図３１】
0005343232.tif 000032
【図３２】
0005343232.tif 000033
【図３３】
0005343232.tif 000034
【図３４】
0005343232.tif 000035
【図３５】
0005343232.tif 000036
【図３６】
0005343232.tif 000037
【図３７】
0005343232.tif 000038
【図３８】
0005343232.tif 000039
【図３９】
0005343232.tif 000040
【図４０】
0005343232.tif 000041
【図４１】
0005343232.tif 000042
【図４２】
0005343232.tif 000043
【図４３】
0005343232.tif 000044
【図４４】
0005343232.tif 000045
【図４５】
0005343232.tif 000046
【図４６】
0005343232.tif 000047
【図４７】
0005343232.tif 000048
【図４８】
0005343232.tif 000049
【図４９】
0005343232.tif 000050
【図５０】
0005343232.tif 000051
【図５１】
0005343232.tif 000052
【図５２】
0005343232.tif 000053
【図５３】
0005343232.tif 000054
【図５４】
0005343232.tif 000055
【図５５】
0005343232.tif 000056
【図５６】
0005343232.tif 000057
【図５７】
0005343232.tif 000058
【図５８】
0005343232.tif 000059
【図５９】
0005343232.tif 000060
【図６０】
0005343232.tif 000061
【図６１】
0005343232.tif 000062
【図６２】
0005343232.tif 000063
【図６３】
0005343232.tif 000064
【図６４】
0005343232.tif 000065
【図６５】
0005343232.tif 000066
【図６６】
0005343232.tif 000067
【図６７】
0005343232.tif 000068
【図６８】
0005343232.tif 000069
【図６９】
0005343232.tif 000070
【図７０】
0005343232.tif 000071
【図７１】
0005343232.tif 000072
【図７２】
0005343232.tif 000073
【図７３】
0005343232.tif 000074